(57)【特許請求の範囲】
【請求項１】
被写体を透過した放射線の強度分布を検出して画像データへと変換する放射線撮影を行い、且つ、固有の無線識別情報を有する装置である無線通信のアクセスポイントとして動作可能な放射線撮影装置と、前記放射線撮影装置から無線通信を介した前記画像データの受信と前記放射線撮影装置の動作の制御を行う制御装置と、を有する放射線撮影システムであって、前記制御装置は、
前記放射線撮影システムにおいて、前記アクセスポイントとして動作している機器が存在するか判定する判定手段と、
前記判定に基づき、前記放射線撮影システムにおける前記アクセスポイントが一つとなるように前記放射線撮影装置の動作を制御する制御手段と、
前記制御装置が有する固有の識別情報と、前記放射線撮影装置が有する固有の識別情報と、前記放射線撮影装置が前記アクセスポイントとして動作することを示す文字情報と、を含む固有の無線識別情報を生成する生成手段と、を備え、
前記制御手段は、前記固有の無線識別情報に含まれる前記文字情報に基づき、前記アクセスポイントとして前記放射線撮影装置の動作を制御することを特徴とする放射線撮影システム。
【請求項２】
前記判定に基づき、前記アクセスポイントとして動作している機器が存在しない場合、前記制御手段は、前記放射線撮影装置を前記アクセスポイントとして動作させ、
前記アクセスポイントとして動作している機器が存在する場合、前記制御手段は、前記機器の無線識別情報に基づいて前記放射線撮影装置を前記アクセスポイントとして動作させないことを特徴とする請求項１に記載の放射線撮影システム。
【請求項３】
前記制御装置は、
操作入力に基づいて、前記放射線撮影装置を前記アクセスポイントとして動作させるか否かを選択する選択手段を更に備え、
前記制御手段は、前記選択に基づいて、前記放射線撮影装置の動作を制御することを特徴とする請求項１又は２に記載の放射線撮影システム。
【請求項４】
前記選択手段が、前記放射線撮影装置を前記アクセスポイントとして動作させないことを選択した場合に、前記制御手段は、前記アクセスポイントとして動作している機器の無線識別情報を前記放射線撮影装置に通知し、前記機器を無線通信のアクセスポイントとして前記放射線撮影装置を動作させることを特徴とする請求項３に記載の放射線撮影システム。
【請求項５】
前記選択手段が、前記放射線撮影装置を前記アクセスポイントとして動作させることを選択した場合に、前記制御手段は、前記固有の無線識別情報を前記放射線撮影装置に通知し、前記放射線撮影装置を前記アクセスポイントとして動作させることを特徴とする請求項３に記載の放射線撮影システム。
【請求項６】
前記制御手段は、前記放射線撮影システムにおける前記アクセスポイントのデフォルト接続先を、前記放射線撮影装置に変更することを特徴とする請求項５に記載の放射線撮影システム。
【請求項７】
前記制御手段は、前記放射線撮影装置と前記制御装置との間の無線通信強度が閾値より低くなった場合に、前記アクセスポイントとして動作している前記放射線撮影装置を前記アクセスポイントとして動作させなくすることを特徴とする請求項１乃至６のいずれか１項に記載の放射線撮影システム。
【請求項８】
前記制御手段は、一定時間以上、前記放射線撮影装置と前記制御装置との間で無線通信が行われていない場合、前記アクセスポイントとして動作している前記放射線撮影装置を前記アクセスポイントとして動作させなくすることを特徴とする請求項７に記載の放射線撮影システム。
【請求項９】
前記放射線撮影装置が前記アクセスポイントとして動作している前記放射線撮影システムに放射線撮影装置が新たに追加された場合に、
前記選択手段は、前記追加された放射線撮影装置を前記アクセスポイントとして動作させるか否かを選択し、
前記制御手段は、前記選択に基づいて、前記追加された放射線撮影装置の動作を制御することを特徴とする請求項３に記載の放射線撮影システム。
【請求項１０】
前記選択手段が、前記アクセスポイントの動作を選択した場合に、
前記制御手段は、前記アクセスポイントとして動作している前記放射線撮影装置を前記アクセスポイントとして動作させなくした後に、前記固有の無線識別情報に基づいて前記追加された放射線撮影装置を前記アクセスポイントとして動作させることを特徴とする請求項９に記載の放射線撮影システム。
【請求項１１】
前記選択手段が、前記アクセスポイントの動作を選択しなかった場合に、
前記制御手段は、前記アクセスポイントとして動作している前記放射線撮影装置の無線識別情報を、前記追加された放射線撮影装置に通知し、前記追加された放射線撮影装置を前記アクセスポイントとして動作させないことを特徴とする請求項９に記載の放射線撮影システム。
【請求項１２】
前記制御手段は、
前記放射線撮影システムにおける前記アクセスポイントの数が設定された下限数より少ない場合、前記放射線撮影装置を前記アクセスポイントとして動作させ、
前記放射線撮影システムにおける前記アクセスポイントの数が設定された上限数より多い場合、前記放射線撮影装置を前記無線通信のアクセスポイントとして動作させないことを特徴とする請求項１乃至１１のいずれか１項に記載の放射線撮影システム。
【請求項１３】
前記制御装置は、前記放射線撮影装置と紐づけるための処理がなされることによりペアリングされており、
前記固有の無線識別情報は、前記放射線撮影装置と前記制御装置とがペアリングされたときを特定する情報を更に含むことを特徴とする請求項１乃至１２のいずれか１項に記載の放射線撮影システム。
【請求項１４】
前記判定手段は、前記放射線撮影システムにおいて、無線通信が可能な放射線撮影装置が存在するか否かを判定し、
前記生成手段は、前記判定に基づいて、前記無線通信が可能な放射線撮影装置が複数存在する場合に、それぞれの放射線撮影装置の間で異なる無線識別情報を生成することを特徴とする請求項１乃至１３のいずれか１項に記載の放射線撮影システム。
【請求項１５】
被写体を透過した放射線の強度分布を検出して画像データへと変換する放射線撮影を行い、且つ、固有の無線識別情報を有する装置である無線通信のアクセスポイントとして動作可能な放射線撮影装置と、前記放射線撮影装置から無線通信を介した前記画像データの受信と前記放射線撮影装置の動作の制御を行う制御装置と、を有する放射線撮影システムの制御方法であって、
前記制御装置の判定手段が、前記放射線撮影システムにおいて、前記アクセスポイントとして動作している機器が存在するか判定する工程と、
前記制御装置の制御手段が、前記判定に基づき、前記アクセスポイントが一つとなるように前記放射線撮影装置の動作を制御する制御工程と、
前記制御装置が有する固有の識別情報と、前記放射線撮影装置が有する固有の識別情報と、前記放射線撮影装置が前記アクセスポイントとして動作することを示す文字情報と、を含む固有の無線識別情報を生成する生成工程と、を有し、
前記制御工程では、前記固有の無線識別情報に含まれる前記文字情報に基づき、前記アクセスポイントとして前記放射線撮影装置の動作を制御することを特徴とする放射線撮影システムの制御方法。
【請求項１６】
被写体を透過した放射線の強度分布を検出して画像データへと変換する放射線撮影を行い、且つ、固有の無線識別情報を有する装置である無線通信のアクセスポイントとして動作可能な放射線撮影装置と、前記放射線撮影装置から無線通信を介した前記画像データの受信と前記放射線撮影装置の動作の制御を行う制御装置と、を有する放射線撮影システムの制御方法であって、
前記制御装置の生成手段が、前記制御装置が有する固有の識別情報と、前記放射線撮影装置が有する固有の識別情報と、前記放射線撮影装置が前記アクセスポイントとして動作することを示す文字情報と、を含む固有の無線識別情報を生成する生成工程と、
前記制御装置の制御手段が、前記固有の無線識別情報に含まれる前記文字情報に基づき、前記アクセスポイントとして前記放射線撮影装置の動作を制御する制御工程と、
を有することを特徴とする放射線撮影システムの制御方法。
【請求項１７】
被写体を透過した放射線の強度分布を検出して画像データへと変換する放射線撮影を行い、且つ、固有の無線識別情報を有する装置である無線通信のアクセスポイントとして動作可能な放射線撮影装置から無線通信を介した前記画像データの受信と前記放射線撮影装置の動作の制御を行う制御装置であって、
前記アクセスポイントとして動作している機器が存在するか判定する判定手段と、
前記判定に基づき、前記放射線撮影装置を有する放射線撮影システムにおいて前記アクセスポイントが一つとなるように前記放射線撮影装置の動作を制御する制御手段と、
前記制御装置が有する固有の識別情報と、前記放射線撮影装置が有する固有の識別情報と、前記放射線撮影装置が前記アクセスポイントとして動作することを示す文字情報と、を含む固有の無線識別情報を生成する生成手段と、を備え、
前記制御手段は、前記固有の無線識別情報に含まれる前記文字情報に基づき、前記アクセスポイントとして前記放射線撮影装置の動作を制御することを特徴とする制御装置。
【請求項１８】
被写体を透過した放射線の強度分布を検出して画像データへと変換する放射線撮影を行い、且つ、固有の無線識別情報を有する装置である無線通信のアクセスポイントとして動作可能な放射線撮影装置から無線通信を介した前記画像データの受信と前記放射線撮影装置の動作の制御を行う制御装置であって、
前記制御装置が有する固有の識別情報と、前記放射線撮影装置が有する固有の識別情報と、前記放射線撮影装置が前記アクセスポイントとして動作することを示す文字情報と、を含む固有の無線識別情報を生成する生成手段と、
前記固有の無線識別情報に含まれる前記文字情報に基づき、前記アクセスポイントとして前記放射線撮影装置の動作を制御する制御手段と、
を備えることを特徴とする制御装置。
【請求項１９】
被写体を透過した放射線の強度分布を検出して画像データへと変換する放射線撮影を行い、且つ、固有の無線識別情報を有する装置である無線通信のアクセスポイントとして動作可能な放射線撮影装置と、前記放射線撮影装置から無線通信を介した前記画像データの受信と前記放射線撮影装置の動作の制御を行う制御装置と、を有する放射線撮影システムであって、前記制御装置は、
前記制御装置が有する固有の識別情報と、前記放射線撮影装置が有する固有の識別情報と、前記放射線撮影装置が前記アクセスポイントとして動作することを示す文字情報と、を含む固有の無線識別情報を生成する生成手段と、
前記固有の無線識別情報に含まれる前記文字情報に基づき、前記アクセスポイントとして前記放射線撮影装置の動作を制御する制御手段と、
を備えることを特徴とする放射線撮影システム。
【請求項２０】
前記制御装置は、操作入力に基づいて、前記アクセスポイントとして動作させるか否かを選択する選択手段を更に備え、
前記制御手段は、前記選択に基づいて、前記放射線撮影装置の動作を制御することを特徴とする請求項１９に記載の放射線撮影システム。
【請求項２１】
前記選択手段が、前記放射線撮影装置を前記アクセスポイントとして動作させないことを選択した場合に、前記制御手段は、前記アクセスポイントとして動作している機器の無線識別情報を前記放射線撮影装置に通知し、前記機器を前記アクセスポイントとして前記放射線撮影装置を動作させることを特徴とする請求項２０に記載の放射線撮影システム。
【請求項２２】
前記選択手段が、前記放射線撮影装置を前記アクセスポイントとして動作させることを選択した場合に、前記制御手段は、前記固有の無線識別情報を前記放射線撮影装置に通知し、前記放射線撮影装置を前記アクセスポイントとして動作させることを特徴とする請求項２０に記載の放射線撮影システム。
【請求項２３】
前記制御手段は、前記放射線撮影システムにおける前記アクセスポイントのデフォルト接続先を、前記放射線撮影装置に変更することを特徴とする請求項２２に記載の放射線撮影システム。
【請求項２４】
前記制御手段は、前記放射線撮影装置と前記制御装置との間の無線通信強度が閾値より低くなった場合に、前記アクセスポイントとして動作している前記放射線撮影装置を前記アクセスポイントとして動作させなくすることを特徴とする請求項１９に記載の放射線撮影システム。
【請求項２５】
前記制御手段は、一定時間以上、前記放射線撮影装置と前記制御装置との間で無線通信が行われていない場合、前記アクセスポイントとして動作している前記放射線撮影装置を前記アクセスポイントとして動作させなくすることを特徴とする請求項２４に記載の放射線撮影システム。
【請求項２６】
前記放射線撮影装置が前記アクセスポイントとして動作している前記放射線撮影システムに放射線撮影装置が新たに追加された場合に、
前記選択手段は、前記追加された放射線撮影装置を前記アクセスポイントとして動作させるか否かを選択し、
前記制御手段は、前記選択に基づいて、前記追加された放射線撮影装置の動作を制御することを特徴とする請求項２１に記載の放射線撮影システム。
【請求項２７】
前記選択手段が、前記アクセスポイントの動作を選択した場合に、
前記制御手段は、前記アクセスポイントとして動作している前記放射線撮影装置を前記アクセスポイントとして動作させなくした後に、前記固有の無線識別情報に基づいて前記追加された放射線撮影装置を前記アクセスポイントとして動作させることを特徴とする請求項２６に記載の放射線撮影システム。
【請求項２８】
前記選択手段が、前記アクセスポイントの動作を選択しなかった場合に、
前記制御手段は、前記アクセスポイントとして動作している前記放射線撮影装置の前記固有の無線識別情報を、前記追加された放射線撮影装置に通知し、前記追加された放射線撮影装置を前記アクセスポイントとして動作させないことを特徴とする請求項２６に記載の放射線撮影システム。
【請求項２９】
前記制御手段は、
前記放射線撮影システムにおける前記アクセスポイントの数が設定された下限数より少ない場合、前記放射線撮影装置を前記アクセスポイントとして動作させ、
前記放射線撮影システムにおける前記アクセスポイントの数が設定された上限数より多い場合、前記放射線撮影装置を前記アクセスポイントとして動作させないことを特徴とする請求項１９に記載の放射線撮影システム。
【請求項３０】
前記制御装置は、前記放射線撮影装置と紐づけるための処理がなされることによりペアリングされており、
前記固有の無線識別情報は、前記放射線撮影装置と前記制御装置とがペアリングされたときを特定する情報を更に含むことを特徴とする請求項１９乃至２９のいずれか１項に記載の放射線撮影システム。
【請求項３１】
前記制御装置は、前記放射線撮影システムにおいて、前記アクセスポイントとして動作している機器が存在するか判定する判定手段を更に含み、
前記判定手段は、前記放射線撮影システムにおいて、無線通信が可能な放射線撮影装置が存在するか否かを判定し、
前記判定に基づいて、前記生成手段は、前記無線通信が可能な放射線撮影装置が複数存在する場合に、それぞれの放射線撮影装置の間で異なる無線識別情報を生成することを特徴とする請求項１９乃至３０のいずれか１項に記載の放射線撮影システム。
【発明の詳細な説明】
【技術分野】
【０００１】
本発明は放射線撮影システム、放射線撮影システムの制御方法、および制御装置に関する。
【背景技術】
【０００２】
従来、放射線発生源から発せられた放射線を被写体へと照射し、被写体を透過した放射線の強度分布を検出して画像データへと変換する放射線撮影装置または放射線撮影装置を含んだ放射線撮影システムが普及している。
【０００３】
放射線撮影装置が画像データを得るための手法としては専用のフィルムを使用する方法や、放射線を蛍光体によって可視光に変換した後に光センサで電気信号に変換し、デジタルデータとして出力する手法が知られている。
【０００４】
特許文献１には、無線機能を備えた放射線撮影装置、無線通信用親機（アクセスポイント（ＡＰ））、およびコンソールを備えた放射線撮影システムが開示されている。コンソールは、放射線撮影装置に対して動作指示を与え、且つ撮影した結果である画像データを表示する出力系を備えた情報処理装置（ＰＣ）として構成することが可能である。アクセスポイント（ＡＰ）は無線によるデータ通信を仲介する機器であり、放射線撮影装置やコンソール間の通信を仲介することが可能である。
【０００５】
放射線撮影システムは、アクセスポイント（ＡＰ）が配されることで複数の無線機器をシステム内に組み込むことが可能となり、可変性の高いシステムが構築可能となる。一方で、特許文献１のように、アクセスポイント（ＡＰ）は、放射線撮影システム内に単一のユニットとして設けられる場合が多く、システムの構成物が多くなってしまう。これらに対応する一つの手法として、放射線撮影装置が、アクセスポイント（ＡＰ）として動作する機能を有することによって、システムの構成を削減することが可能となる。
【先行技術文献】
【特許文献】
【０００６】
【特許文献１】特開２０１３−２３６７１１号公報
【発明の概要】
【発明が解決しようとする課題】
【０００７】
しかしながら、この様な手法を実施する場合に、アクセスポイント（ＡＰ）として動作する機器に対する無線通信用の無線識別情報（例えば、ＳＳＩＤ）の割り振りに対しては、なんら検討されていない。このため、放射線撮影システム内における複数の放射線撮影装置に対して同一の無線通信用ＩＤが割り振られ、同一の無線通信用ＩＤを有するアクセスポイント（ＡＰ）が、システム内に複数存在してしまう場合が生じ得る。この場合に、本来組み合わせて使いたい放射線撮影装置とコンソール（制御装置）との間の通信ができない場合や、不安定になってしまう可能性が生じ得る。
【０００８】
上記の課題に鑑み、本発明は、放射線撮影装置と制御装置との間で安定した通信が可能な放射線撮影技術の提供を目的とする。
【課題を解決するための手段】
【０００９】
上記の目的を達成する本発明の一つの態様に係る放射線撮影システムは、被写体を透過した放射線の強度分布を検出して画像データへと変換する放射線撮影を行い、且つ、固有の無線識別情報を有する装置である無線通信のアクセスポイントとして動作可能な放射線撮影装置と、前記放射線撮影装置から無線通信を介した前記画像データの受信と前記放射線撮影装置の動作の制御を行う制御装置と、を有する放射線撮影システムであって、前記制御装置は、
前記放射線撮影システムにおいて、前記アクセスポイントとして動作している機器が存在するか判定する判定手段と、
前記判定に基づき、前記放射線撮影システムにおける前記アクセスポイントが一つとなるように前記放射線撮影装置の動作を制御する制御手段と、
前記制御装置が有する固有の識別情報と、前記放射線撮影装置が有する固有の識別情報と、前記放射線撮影装置が前記アクセスポイントとして動作することを示す文字情報と、を含む固有の無線識別情報を生成する生成手段と、を備え、
前記制御手段は、前記固有の無線識別情報に含まれる前記文字情報に基づき、前記アクセスポイントとして前記放射線撮影装置の動作を制御することを特徴とする。
【００１０】
上記の目的を達成する本発明の他の態様に係る放射線撮影システムは、被写体を透過した放射線の強度分布を検出して画像データへと変換する放射線撮影を行い、且つ、固有の無線識別情報を有する装置である無線通信のアクセスポイントとして動作可能な放射線撮影装置と、前記放射線撮影装置から無線通信を介した前記画像データの受信と前記放射線撮影装置の動作の制御を行う制御装置と、を有する放射線撮影システムであって、前記制御装置は、
前記制御装置が有する固有の識別情報と、前記放射線撮影装置が有する固有の識別情報と、前記放射線撮影装置が前記アクセスポイントとして動作することを示す文字情報と、を含む固有の無線識別情報を生成する生成手段と、
前記固有の無線識別情報に含まれる前記文字情報に基づき、前記アクセスポイントとして前記放射線撮影装置の動作を制御する制御手段と、を備えることを特徴とする。
【発明の効果】
【００１１】
本発明によれば、放射線撮影装置と制御装置との間で安定した通信が可能になる。
【図面の簡単な説明】
【００１２】
【図１Ａ】第１実施形態の放射線撮影システムの構成例を示す図。
【図１Ｂ】第１実施形態の放射線撮影システムの構成例を示す図。
【図２】放射線撮影装置の構成例を示す図。
【図３】放射線撮影システムの通信準備処理を説明する図。
【図４】通信準備時のコンソールおよび放射線撮影装置の処理例を示す図。
【図５】複数の放射線撮影装置を使用する際の通信準備処理を説明する図。
【図６】放射線撮影システムのコンソールの処理を説明する図。
【図７】放射線撮影システムの放射線撮影装置の処理を説明する図。
【図８】放射線撮影システムの通信準備処理を説明する図。
【図９】放射線撮影装置をシステムに追加する処理を説明する図。
【図１０】ＡＰモードで動作中の放射線撮影装置の停止処理を説明する図。
【図１１】放射線撮影システムのコンソールの処理を説明する図。
【発明を実施するための形態】
【００１３】
以下、図面を参照して、本発明の実施形態を例示的に詳しく説明する。ただし、この実施形態に記載されている構成要素はあくまで例示であり、本発明の技術的範囲は、特許請求の範囲によって確定されるのであって、以下の個別の実施形態によって限定されるわけではない。
【００１４】
放射線撮影システムとして様々な構成例が想定されるが、以下の各実施形態における説明では、放射線撮影システムを構成する構成ユニットの組み合わせ、無線通信の親機として動作するための無線識別情報（無線ＩＤ）が放射線撮影装置に割り振られるタイミングや、アクセスポイント（ＡＰ：親機）として動作する放射線撮影装置の運用台数等、基本となる構成例について説明する。詳細な説明がなされない構成例等についても、各実施形態で説明した内容を適用することが可能である。
【００１５】
（第１実施形態）
本実施形態では、放射線撮影システムの構成例として、コンソールと放射線撮影装置とが1ユニットずつ存在するシステム構成について説明する。放射線撮影システムは、無線通信の親機または子機として動作可能な放射線撮影装置と、放射線撮影装置の動作を制御可能な制御装置とを有する。放射線撮影システムにおいて、放射線撮影装置は、無線通信におけるアクセスポイント（ＡＰ：親機）として動作することが可能であり、また、放射線撮影装置は、無線通信における子機として動作することが可能である。図１Ａは、放射線撮影装置が無線通信における子機として動作する第１実施形態の放射線撮影システムの構成例を示している。図１Ｂは、放射線撮影装置が無線通信における親機として動作する第１実施形態の放射線撮影システムの構成例を示している。以下、図１Ａおよび図１Ｂを用いて放射線撮影システム１００の構成を説明する。
【００１６】
図１Ａにおいて、放射線撮影装置１０１は、無線通信機能を備えており、通信経路１１０〜１１３を介してコンソール１０３と画像データをはじめとする種々の情報のやり取りが可能である。一例として、放射線撮影装置１０１は、画像データ以外に、例えば、アクセスポイントからの電波強度、撮影装置の温度情報、放射線撮影装置１０１が有するバッテリの残量情報等をコンソール１０３に対して送信し得る。コンソール１０３は、例えば、表示部等の表示機能と入力部を介したユーザーからの入力機能とを備えた制御装置（ＰＣ）によって構築され、ユーザーからの指示を放射線撮影装置１０１へと送信したり、放射線撮影装置１０１が取得した画像データを受信して、ユーザーに提示することが可能である。また、コンソール１０３（制御装置）は、無線通信機能以外に、有線通信機能を備えていてもよい。
【００１７】
（放射線撮影装置１０１およびコンソール１０３の間の通信）
放射線撮影装置１０１が画像データを取得した場合、システムの構成状況によって通信経路１１０〜１１３のいずれかを介して、放射線撮影装置１０１は画像データをコンソール１０３へと送信する。ここで、放射線撮影装置１０１が画像データを取得する際の構成と通信経路について、条件毎に説明する。
【００１８】
一例として、子機として動作する放射線撮影装置１０１が無線通信の親機として動作するＡＰユニット１０４を介してコンソール１０３と通信可能な状態になっている場合について説明する。
【００１９】
この時、放射線撮影装置１０１は、自装置が備える無線通信機能を用いて、システム内に構成されたＡＰユニット１０４へ画像データを送信し、ＡＰユニット１０４は受信した画像データを、ネットワーク１０２を介してコンソール１０３へと送信する。この時、画像データは、放射線撮影装置１０１から送信され、通信経路１１０、ＡＰユニット１０４、通信経路１１１、ネットワーク１０２、通信経路１１２を経由して、コンソール１０３へと送信される。ＡＰユニット１０４およびコンソール１０３の間に存在する通信経路１１１、１１２およびネットワーク１０２は有線通信または無線通信のどちらで構成してもよい。つまり、放射線撮影装置１０１とコンソール１０３の間の通信は、少なくとも、放射線撮影装置１０１とＡＰユニット１０４との間は無線通信で情報のやりとりが行われる。また、有線通信および無線通信が混在して通信経路１１１、１１２およびネットワーク１０２を構成することも可能である。
【００２０】
また、ＡＰユニット１０４は、ネットワーク１０２を介さずにコンソール１０３と直接的に接続することも可能である。この時、画像データが放射線撮影装置１０１からコンソール１０３へと送信される場合の経路は、通信経路１１０、ＡＰユニット１０４、通信経路１１３となる。通信経路１１３についてもネットワーク１０２と同じく、有線通信または無線通信のどちらで構成してもよい。
【００２１】
次に、図１Ｂを用いて、放射線撮影装置１０１がアクセスポイント（ＡＰ：親機）として動作する場合について説明する。図１Ｂにおいて、図１Ａに示す参照番号と同一の構成要素については、同一の機能を有するものとする。放射線撮影装置１０１は、無線通信機能を備えており、コンソール１０３と画像データのやり取りを直接的に実行することが可能である（通信経路１１４）。コンソール１０３は、例えば、表示部等の表示機能と入力部を介したユーザーからの入力機能とを備えた制御装置（ＰＣ）によって構築され、ユーザーからの指示を放射線撮影装置１０１へ直接無線通信したり、放射線撮影装置１０１が取得した画像データを放射線撮影装置１０１から直接無線通信により受信して、ユーザーに提示することが可能である。
【００２２】
放射線撮影装置１０１は、無線通信機能を用いてコンソール１０３と直接無線通信し、コンソール１０３に対して直接的に画像データの送信が可能である。この時の無線通信経路を示したのが通信経路１１４である。尚、図１Ｂに示す例では、放射線撮影装置１０１からコンソール１０３へ画像データを直接無線通信する構成例を示しているが、放射線撮影装置１０１およびコンソール１０３の間に、無線通信あるいは無線通信および有線通信のネットワークを介して、画像データを送信することも可能である。
【００２３】
以上が放射線撮影装置１０１とコンソール１０３との間で画像データのやり取りを実施する際の通信経路の説明となる。尚、図１Ａおよび図１Ｂの構成例では、放射線撮影装置１０１から画像データを送信する際に無線通信機能を用いた例を説明しているが、この例に限定されず、例えば、放射線撮影装置１０１は有線接続によって他のユニットと通信を実施することも可能である。
【００２４】
（放射線画像撮影）
続いて、放射線撮影装置１０１による被写体１０５の撮影の流れについて説明する。放射線撮影装置１０１は、被写体１０５の撮影を実施するにあたって、放射線管球１０６から照射され被写体１０５を透過した放射線が照射される位置に設置される。撮影の流れとしては、ユーザーが放射線撮影装置１０１を起動した後に、撮影者がコンソール１０３を操作して、放射線撮影装置１０１を撮影可能状態にする。続いて、撮影者は放射線発生装置１０８のコンソール１０７を操作して、放射線の照射条件を設定する。以上の処理が終了後、被写体１０５を含めた各撮影準備が整った事を撮影者が確認し、放射線発生装置１０８のコンソール１０７に備えられた曝射スイッチを撮影者が押下し、放射線を曝射させる。
【００２５】
放射線の曝射の際、放射線発生装置１０８は、これから放射線が照射される旨の信号を放射線撮影装置１０１に対して、接続器１０９（放射線機器接続器）やネットワークを介して通知する。図１Ａおよび図１Ｂに示す構成例では、放射線発生装置１０８および放射線撮影装置１０１が、接続器１０９及びネットワーク１０２を介して接続されているが、接続形態はこの例に限定されない。放射線撮影装置１０１が備える機能によっては照射の通知が必要無い場合も有り得る。
【００２６】
放射線撮影装置１０１が、放射線を照射する旨の信号を受信すると、放射線撮影装置１０１は自らの状態が放射線照射に対する準備が整っているかを確認し、問題が無ければ照射許可の信号を放射線発生装置１０８へと送信する。放射線発生装置１０８が、放射線撮影装置１０１から照射許可の信号を受信した後に、放射線発生装置１０８から放射線が照射される。
【００２７】
放射線撮影装置１０１は、放射線照射終了の信号を放射線発生装置１０８から受信すると、放射線撮影装置１０１は、画像データの生成を開始し、生成した画像データを前述の通信経路を介してコンソール１０３に送信する。コンソール１０３は、放射線撮影装置１０１から画像データを受信すると、コンソール１０３の表示部に受信した画像データを表示する。
【００２８】
（放射線撮影装置１０１の内部構成）
続いて、図２を用いて放射線撮影装置１０１の内部構成例について説明する。放射線撮影装置１０１は入射してきた放射線を電気信号に変えるためのセンサ部２０４を有する。センサ部２０４は、シンチレータと光検出器のアレーによって構成される。シンチレータと光検出器アレーは２次元平面の形状をしており、且つ、それぞれの面が向き合う形で配置している。シンチレータはＸ線等の放射線によって励起され、可視光を発する。この可視光を光検出器が電気信号に変換する。
【００２９】
以上の構成を有するセンサ部２０４を駆動するのがセンサ駆動部２０３である。センサ駆動部２０３は、光検出器アレーの内、どの行あるいは列から電気信号を取り出すかの選択や、取り出した電気信号の増幅、光検出器アレーへの給電等を行う。そして、センサ駆動部２０３は、光検出器アレーから取り出した電気信号を制御部２０１へ送信する。制御部２０１は、センサ駆動部２０３から電気信号を受信すると、受信した電気信号を記憶部２０２へ出力し、記憶部２０２に保存する。センサ部２０４の構成としては、例えば、シンチレータの種類や光検出器の種類等に特に限定は無く、様々な構成のものを使用することが可能である。
【００３０】
制御部２０１は、放射線撮影装置１０１の各部の制御に関わる処理を行う。例えば、制御部２０１は、撮影に関して、センサ部２０４を駆動するための指示をセンサ駆動部２０３へ出力したり、得られた画像データを記憶部２０２へ保存したり、記憶部２０２から画像データを取り出したりすることが可能である。また、制御部２０１は、通信部２０５を介して画像データを他の機器に送信したり、あるいは、他の機器からの指示を、通信部２０５を介して受信したり、操作部２０９からの操作によって放射線撮影装置１０１の起動/停止の切り替え等を制御することが可能である。更に、制御部２０１は、放射線撮影装置１０１の動作状況やエラー状態を、表示部２１０を介してユーザーに通知することも可能である。本実施形態では前述の処理内容を、一つの制御部２０１で処理しているが、複数の制御部、例えば、２つ以上の複数の制御部で分担処理することも可能である。
【００３１】
記憶部２０２は放射線撮影装置１０１が取得した画像データや内部処理の結果等を示すログ情報を保存することが可能である。また、制御部２０１がソフトウェアを用いる場合には、記憶部２０２は制御部２０１で使用するソフトウェア等も格納することが可能である。記憶部２０２の構成として、例えば、揮発性/不揮発性メモリやＨＤＤなどについて様々な組み合わせで放射線撮影装置１０１に搭載可能である。また、本実施形態では、図２において、一つの記憶部２０２しか示していないが、複数の記憶部を配置することも可能である。
【００３２】
通信部２０５は、放射線撮影装置１０１と他の機器との通信を実現するための処理を行う。本実施形態における通信部２０５は、無線通信用の第１外部接続部２０６と接続されており、この第１外部接続部２０６を介して、ＡＰユニット１０４やコンソール１０３と通信することが可能である。第１外部接続部２０６の一例としては、例えば、無線通信用のアンテナなどがあげられる。尚、前述の通り通信についてはこのような形態に限定されず、有線通信機能を備える構成でもよい。また、通信の規格・方式についても特に限定は無い。
【００３３】
また、通信部２０５は、第２外部接続部２１１とも接続されている。第２外部接続部２１１は、第１外部接続部２０６を介した通信とは別に、各種の情報をコンソール等他の機器とやり取りしたい場合に使用される。情報の一例としては、第１外部接続部２０６を介して通信を行う際の放射線撮影装置１０１の設定情報が挙げられる。この第２外部接続部２１１の接続方式は有線通信・無線通信どちらでもよく、有線通信の場合にはケーブルを接続する方法や記憶媒体を放射線撮影装置１０１に直接組み付ける方式でも良い。更に、無線通信の場合にもその方式は限定されず、光や電波を用いた通信等が使用可能である。また、図２の構成例では通信部２０５が２つの外部接続部（第１外部接続部２０６、第２外部接続部２１１）へ接続されている構成を示したが、其々の接続部に対応して専用の通信部を設けてもよい。
【００３４】
放射線撮影装置１０１が、第１外部接続部２０６を介して、ＡＰユニット１０４やコンソール１０３と通信を行う場合、放射線撮影装置１０１は、自装置がアクセスポイント（ＡＰ：親機）として動作するか、子機として動作するか、放射線撮影装置１０１における通信の動作モードの選択をすることが可能である。放射線撮影装置１０１は、選択したそれぞれの動作モードに合わせた無線識別情報（無線ＩＤ）を用いて通信を実施することが可能である。この無線識別情報（無線ＩＤ）の設定方法については後述する。尚、動作モードの選択は、放射線撮影装置１０１が行う場合の限られず、コンソール１０３（制御装置）が動作モードの選択を制御することが可能である。
【００３５】
ここで、各実施形態における放射線撮影装置の無線通信で動作可能な動作モードは、少なくとも、親機モード（アクセスポイントモード：以降、ＡＰモードと表記）と、子機モード（ステーションモード：以降、ＳＴＡモードと表記）とを含む。ＡＰモードは、放射線撮影装置と制御装置とが直接無線通信し、且つ、他の放射線撮影装置と制御装置との間の無線通信を中継するモードである。また、ＳＴＡモードは、放射線撮影装置と制御装置間が直接通信せず、他の放射線撮影装置を含む他の装置を中継して制御装置と無線通信を行うモードである。
【００３６】
放射線撮影装置１０１は内部電源２０７を有する。内部電源２０７は、例えば、着脱可能な充電池として構成することが可能であるが、この例に限定されず、例えば、充電可能な電源、充電ができない電源、着脱可能な電源、着脱ができない電源、電力生成の手法等、様々な電源を組み合せて用いることが可能である。電源生成部２０８は内部電源２０７から与えられた電力から放射線撮影装置１０１の各部が必要とする電圧・電流を生成し、分配供給する。
【００３７】
操作部２０９は、ユーザーからの操作入力を受け付ける。操作部２０９は、例えば、ユーザーが操作する各種スイッチ、タッチパネルなどによって構成することができる。また、操作専用のリモートコントローラーからの入力を受け付ける受信部をあわせて配置することも可能である。
【００３８】
表示部２１０は、放射線撮影装置１０１の状態などをユーザーなどに通知するのに用いられる。表示部２１０は、例えば、ＬＥＤやＬＣＤ、モニターなどによって構成することが可能である。尚、ユーザーへの通知方法の一つとして、スピーカーなどの報知部をあわせて配置することも可能である。
【００３９】
（通信確立動作）
次に、図２及び図３を用いて、放射線画像撮影環境における通信確立動作を説明する。図３は、放射線撮影装置１０１が放射線撮影システム１００に組み込まれる際の通信準備処理を示した図である。ここでは無線通信を無線ＬＡＮと想定して説明している。
【００４０】
図２で説明した放射線撮影装置１０１、コンソール１０３、およびＡＰユニット１０４を有する放射線撮影システム１００で放射線画像を撮影する場合を説明する。放射線撮影装置１０１は放射線の照射を自動で検知して撮影を行う機能を有するものと想定し、図１Ａで説明した接続器１０９は、放射線画像を撮影する構成から省略している。
【００４１】
ステップＳ３００で通信準備処理が開始する。撮影を始める際には、図３のステップＳ３０１、およびＳ３０２に示すように、各ユニットの起動、及びコンソール１０３と放射線撮影装置１０１とのペアリングが開始される。ペアリングは放射線撮影装置１０１とコンソール１０３とを紐づけるための処理である。
【００４２】
無線システム内にＡＰユニット１０４が存在する構成では、放射線撮影システムを構成する複数の無線通信ユニット（以下、単にユニットともいう）が一つのＡＰユニット１０４に接続可能である。また、撮影環境下には、無線通信機能を備えた複数のコンソール、及び放射線撮影装置が存在する可能性がある。ペアリングによって、コンソールと放射線撮影装置にペアとなる相手先ユニットを通知しなければ、放射線撮影装置が取得した画像データが不必要なコンソールへと送信されたり、あるいは送信先不明でユーザーである撮影者に提供できない可能性が生じ得る。
【００４３】
ペアリングの手法の例として、赤外線通信による情報授受や、ＮＦＣ（Near Field Communication）による情報授受、Bluetooth（登録商標）等の無線ＬＡＮ以外の無線通信機能による情報授受が可能である。コンソール１０３側に各種通信用の通信機能が備えられ、且つ、放射線撮影装置１０１内の第２外部接続部２１１が各種通信用のアンテナ等の送受部として構成されているとする。放射線撮影装置１０１は、操作部２０９からのペアリングを指示する旨の操作入力に基づいて、ペアリング要求をコンソール１０３に対して通知し、ペアリング要求に対して、コンソール１０３が必要な情報を送信することでペアリングが実施可能である。
【００４４】
また、ペアリングを実施する別の構成例として、物理的な接続によってペアリングを行うことも可能である。例えば、コンソール１０３と第２外部接続部２１１とをケーブルで接続し、接続検知によってお互いの情報を通知してもよい。ペアリングは、上述の方法に限定されず、撮影者がコンソール１０３及び放射線撮影装置１０１の操作部２０９を用いて相手先の情報を入力する等、複数の方法により実現可能である。
【００４５】
ステップＳ３０２でペアリングが開始されると、次に、ステップＳ３０３において、コンソール１０３はＡＰユニット１０４の有無を判断する。コンソール１０３（制御装置）は、放射線撮影システムにおいて、無線通信の親機として動作している機器が存在するか判定し、判定に基づき、放射線撮影装置の動作を制御する。コンソール１０３（制御装置）は、判定に基づき、放射線撮影システムにおける無線通信の親機が一つとなるように放射線撮影装置の動作を制御することが可能である。
【００４６】
具体的には、判定に基づき、親機として動作している機器（例えば、ＡＰユニット１０４）が存在しない場合、コンソール１０３（制御装置）は、放射線撮影装置を無線通信の親機として動作させる。また、親機として動作している機器が存在する場合、コンソール１０３（制御装置）は、機器の無線識別情報に基づいて放射線撮影装置を無線通信の子機として動作させる。コンソール１０３（制御装置）は、放射線撮影システム内における無線通信の親機の有無に応じて、放射線撮影装置における通信の動作モードを制御することが可能である。すなわち、コンソール１０３は、判断結果に基づいて、ペアリングされた放射線撮影装置１０１をアクセスポイント（ＡＰ：親機）として動作させるか（ＡＰモード）、または子機として動作させるか（ＳＴＡモード）を選択可能である。すなわち、コンソール１０３（制御装置）は、ＡＰユニット１０４の有無の判断結果に応じて、放射線撮影装置１０１に与える指示を変えることが可能である。ＡＰユニット１０４の有無判断方法の一例として、ＡＰユニット１０４のＩＰアドレスの内、ホスト部の数値範囲を予め決めておき、コンソール１０３は、同一ネットワーク内にＡＰユニット１０４用のホストで動作するユニットが存在するか確認することで実施できる。
【００４７】
図３のステップＳ３０３において、放射線撮影システム内にＡＰユニット１０４が存在しないと判断された場合（Ｓ３０３−Ｎｏ）、処理はステップＳ３０４へと進められる。
【００４８】
そして、ステップＳ３０４において、コンソール１０３は、放射線撮影装置１０１がＡＰとして動作するのに必要な固有の無線識別情報（無線ＩＤ）として、ＳＳＩＤを生成する。コンソール１０３（制御装置）は、固有の無線識別情報を生成し、固有の無線識別情報に基づき、無線通信の親機として放射線撮影装置の動作を制御する。本システムでは、複数の放射線撮影装置１０１がシステム内に組み込まれる可能性があるため、固有の無線識別情報（無線ＩＤ）となるようにＳＳＩＤが生成される。
【００４９】
コンソール１０３（制御装置）は、固有の無線識別情報を、無線通信における親機として動作している装置を識別可能な文字情報と、制御装置が有する固有の識別情報と、放射線撮影装置が有する固有の識別情報とに基づいて、生成することが可能である。また、コンソール１０３（制御装置）は、固有の無線識別情報として、例えば、放射線撮影装置を特定する情報、放射線撮影装置と制御装置とがペアリングされたときを特定する情報、および制御装置を特定する情報を含む情報を生成することが可能である。具体的には、コンソール１０３は、ＳＳＩＤの構成例として、ＳＳＩＤを持つ機器がアクセスポイント（ＡＰ）として動作している放射線撮像装置を特定する情報（文字列）、放射線撮影装置と制御装置とがペアリングされたときを特定する情報（年月日及び時間を示す情報）、ペアリングされたコンソールのシリアルナンバー（制御装置を特定する情報）を含むようにＳＳＩＤを生成することが可能である。このような固有のＳＳＩＤを生成することにより、複数の放射線撮影装置がＡＰとして動作するような状況になっても混信等が発生する可能性を低下させることができる。
【００５０】
ＳＳＩＤの構成において、ＡＰとして動作している放射線撮像装置を示す文字情報（文字列）を含むことで、ＡＰユニット１０４と、ＡＰとして動作している放射線撮像装置とのうち、どちらを優先するか判断することが可能になる。また、ＳＳＩＤの構成において、ペアリングされた年月日及び時間を含むことで、最新のＡＰに優先的に接続することが可能になる。また、ＳＳＩＤの構成において、コンソールのシリアルナンバーを含むことで、複数のコンソール・放射線撮影装置のペアが存在する環境下でも同一のＳＳＩＤが発生することを防ぐことが可能になる。勿論、ＳＳＩＤに前述の様な各情報の全てを含む必要はなく、其々の情報を入れることで得られるメリットが必要ない場合、コンソール１０３は、それらの情報を除外してＳＳＩＤを生成することが可能である。また、Ethernet（登録商標）を使用する機器が備えるＭＡＣアドレスの様な世界範囲で使用される固有の数値を流用することも可能である。
【００５１】
ステップＳ３０４で固有のＳＳＩＤが生成されると処理はステップＳ３０５に進められる。ステップＳ３０５において、コンソール１０３は、放射線撮影装置１０１に対してＡＰモードで動作するように指示（ＡＰ化指示）を出力する。そして、ステップＳ３０６において、コンソール１０３は、ステップＳ３０４で生成されたＳＳＩＤを放射線撮影装置１０１に通知する。ステップＳ３０７において、コンソール１０３からの指示及びＳＳＩＤの情報を受信した放射線撮影装置１０１は、受信したＳＳＩＤを用いて、アクセスポイント（ＡＰ）としての動作（ＡＰモードの動作）を開始する。その後、ステップＳ３０８において、コンソール１０３とＡＰモードの放射線撮影装置との間で無線接続が確立する。ＳＳＩＤの通知から一定時間が経過するか、若しくは、ＡＰモードで動作を開始した放射線撮影装置１０１からの準備完了通知をコンソール１０３が受信することで、コンソール１０３と、ＳＳＩＤを通知した放射線撮影装置１０１との間の無線接続（無線通信）が確立し、これによって無線通信の準備が完了となる。
【００５２】
一方、ステップＳ３０３の判定処理で、放射線撮影システム内に動作しているＡＰユニット１０４が存在すると判断された場合には（Ｓ３０３−Ｙｅｓ）、処理はステップＳ３０９に進められる。
【００５３】
ステップＳ３０９に処理が進められると、コンソール１０３（制御装置）は、放射線撮影装置を子機化するか否かを判定する。すなわち、コンソール１０３（制御装置）は、操作入力に基づいて、放射線撮影装置を無線通信の子機または親機として動作させるかを選択する。具体的には、コンソール１０３はペアリングされた放射線撮影装置１０１をどの様に動作させるかをユーザーに確認するためのウインドウをモニターに表示し、ユーザーである撮影者に選択を促す。撮影者の選択の結果として、放射線撮影装置１０１をアクセスポイント（ＡＰ：親機）として動作させる旨が選択された場合、処理はステップＳ３１０に進められる。放射線撮影装置を親機として動作させることが選択された場合に、コンソール１０３（制御装置）は、固有の無線識別情報を放射線撮影装置に通知し、放射線撮影装置を無線通信の親機として動作させる。
【００５４】
一方、ステップＳ３０９の判定で、放射線撮影装置１０１を子機として動作させる旨が撮影者により選択された場合、処理はステップＳ３１２に進められる。放射線撮影装置を無線通信の子機として動作させることが選択された場合に、コンソール１０３（制御装置）は、親機として動作している機器の無線識別情報を放射線撮影装置に通知し、放射線撮影装置を機器の子機として動作させる。このように、コンソール１０３（制御装置）は、ステップＳ３０９における選択に基づいて、放射線撮影装置の動作を制御することが可能である。
【００５５】
ステップＳ３１０の処理内容は、先に説明したステップＳ３０４〜Ｓ３０８の処理内容と同様である。図３の中では、これらをＳＵ３００と定義して、ステップＳ３１０内の表記に置き換えている。ステップＳ３１０におけるＳＵ３００の処理が終わると、システム内に動作しているアクセスポイント（ＡＰ）が２つ存在することになる。そして、ステップＳ３１１において、コンソール１０３は、自装置のデフォルトの接続先のアクセスポイント（ＡＰ）を放射線撮影装置１０１に設定して通信準備を完了させる。本ステップにおいて、コンソール１０３（制御装置）は、放射線撮影システムにおける親機のデフォルト接続先を、放射線撮影装置に変更する。
【００５６】
一方、処理がステップＳ３１２へ進められた場合、コンソール１０３は放射線撮影装置１０１へ子機として動作する旨の指示（子機化指示）を通知し、ステップＳ３１３において、コンソール１０３はＡＰユニット１０４のＳＳＩＤを、アクセスポイント（ＡＰ）として動作していた放射線撮影装置１０１に通知する。そして、ステップＳ３１４において、放射線撮影装置１０１とＡＰユニット１０４との間で無線接続が確立され、通信準備が完了となる。
【００５７】
尚、本実施形態では、ペアリングされた放射線撮影装置１０１をアクセスポイント（ＡＰ：親機）として動作させるか（ＡＰモード）、子機として動作させるかを選択可能としたが、本実施形態はこの例に限定されるものではない。例えば、後からシステムに組み込まれた放射線撮影装置１０１をＡＰモードで動作させ、優先的に接続するアクセスポイント（ＡＰ）とすることを予め設定しておくことも可能である。あるいは、ＡＰユニット１０４が存在する場合に、放射線撮影装置１０１を子機として動作（ＳＴＡモードで動作）するように予め設定しておくことも可能である。
【００５８】
（無線通信動作不安定時におけるコンソールおよび放射線撮影装置の処理例）
続いて、放射線撮影装置１０１がアクセスポイント（ＡＰ）として動作している状況において、放射線撮影装置１０１がシステムから離れた場所へ持ち出された場合や、動作が不安定化した場合の放射線撮影装置１０１及びコンソール１０３の処理を、図４を用いて説明する。
【００５９】
図４はＡＰモードで放射線撮影装置１０１が動作している際のコンソール１０３と放射線撮影装置１０１の処理を示しており、図４の左側がコンソール１０３の処理の流れを示し、図４の右側が放射線撮影装置１０１の処理の流れを示すフローチャートである。また、両者の間で情報のやり取りが必要な部分については各処理間を破線または一点鎖線の矢印で接続している。また、コンソール１０３側のフローチャートのステップ番号を「ＳＣ」で示し、放射線撮影装置１０１側のフローチャートのステップ番号を「ＳＸ」で示している。
【００６０】
（コンソール１０３の処理）
まず、コンソール１０３の処理（ＳＣ４００）から説明する。ステップＳＣ４０１において、コンソール１０３はＡＰモードで動作する放射線撮影装置１０１が放射線撮影システム内に存在する場合、放射線撮影装置１０１からアクセスポイント（ＡＰ）としての動作を停止する旨の通知（ＡＰ停止通知）の有無を監視する。尚、放射線撮影装置１０１から通知（ＡＰ停止通知）が送信される条件については後述の放射線撮影装置１０１側の処理で説明する。コンソール１０３は、放射線撮影装置１０１からの通知（ＡＰ停止通知）を受信した場合（ＳＣ４０１−Ｙｅｓ）、コンソール１０３は、処理をステップＳＣ４０２に進める。
【００６１】
ステップＳＣ４０２において、コンソール１０３は、ユーザーである撮影者に対して、モニター等の表示部の表示によりアクセスポイント（ＡＰ）の切り替え実施（ＡＰの切替実施）を通知する。
【００６２】
ステップＳＣ４０３で、コンソール１０３は、ＡＰユニット１０４をデフォルトの接続先として設定する。そして、ステップＳ４０４で、コンソール１０３は、現時点でアクセスポイント（ＡＰ）として動作している放射線撮影装置１０１に対してアクセスポイント（ＡＰ）の切替準備が完了したことを通知し、放射線撮影装置１０１のＡＰモードが終了する。ＡＰモードの終了に基づいて、放射線撮影装置１０１の動作モードは子機として動作するモード（ＳＴＡモード）に切り替えられる（ＳＸ４０６〜ＳＸ４０８）。ステップＳＣ４０４における、アクセスポイント（ＡＰ）の切替準備完了の通知は、コンソール１０３から放射線撮影装置１０１に送信される。後に説明する放射線撮影装置１０１のステップＳＸ４０６の処理は、コンソール１０３から放射線撮影装置１０１に送信されるアクセスポイント（ＡＰ）の切替準備完了の通知に基づいて実行される。
【００６３】
ここでは、放射線撮影装置１０１から（ＡＰ停止通知）が送信された際に、ＡＰユニット１０４が放射線撮影システム内に存在することとして説明したが、本実施形態はこの例に限定されるものではない。例えば、後述するステップＳＣ４１０のように、コンソール１０３はＡＰユニット１０４の有無を判断する処理を実行することが可能である。すなわち、コンソール１０３（制御装置）は、放射線撮影システム内における無線通信の親機の有無に応じて、放射線撮影装置における通信の動作モードを、ステップＳＣ４０２〜ＳＣ４０４の処理に基づいて制御することが可能である。ステップＳＣ４０４の処理が終了すると、処理はステップＳ４１３に進められ、コンソールの処理は終了する。本処理の実行により、コンソール１０３は、放射線撮影装置１０１のＡＰモードを終了させる。アクセスポイント（ＡＰ）として動作していた放射線撮影装置１０１のＡＰモードの動作が終了する。
【００６４】
一方、ステップＳＣ４０１で、コンソール１０３は、放射線撮影装置１０１からのＡＰ停止通知を受信しない場合（ＳＣ４０１−Ｎｏ）、処理はステップＳＣ４０５に進められる。ステップＳＣ４０５において、コンソール１０３は、コンソール１０３と接続先であるＡＰモードで動作中の放射線撮影装置１０１との間の無線強度（無線感度）を確認する。コンソール１０３（制御装置）は、放射線撮影装置と制御装置との間の無線通信強度が閾値より低くなった場合に、親機として動作（ＡＰモードで動作）している放射線撮影装置を子機として動作（ＳＴＡモードで動作）させることが可能である。
【００６５】
ここで、コンソール１０３は、無線強度（無線感度）が閾値以上であり、安定して無線通信を行うことが可能と判断した場合（ＳＣ４０５−Ｙｅｓ）、コンソール１０３は処理をステップＳＣ４０１に戻し、同様の処理を繰り返す。一方、ステップＳＣ４０５において、無線強度（無線感度）が、閾値より低い場合、例えば、放射線撮影装置１０１とコンソール１０３との間の距離が離れてしまったり、障害物となり得る構造物が電波を抑える働きをしていたり、別の電磁波を放射する機器の影響を受ける等して、コンソール１０３が、安定した無線強度（無線感度）を確保できていないと判断した場合（ＳＣ４０５−Ｎｏ）、処理はステップＳＣ４０６に進められる。ここで用いる閾値については、例えば、無線通信が可能とされる下限強度（下限感度）に設定してもよいし、下限強度（下限感度）に対してある程度のマージンを持った値を閾値として設定することも可能である。また、判定する時点での強度値（感度値）を用いるのではなく、コンソール１０３は、時系列で変化する複数の強度値（感度値）から強度値（感度値）の変化を取得し、強度値（感度値）の変化に基づいて、コンソール１０３と放射線撮影装置１０１との間の距離が離れつつあることを推察する。そして、コンソール１０３は、一定時間以内に無線強度（感度）が閾値以下になる事を予見して、一定時間の経過後にステップＳＣ４０６に処理を進めることも可能である。
【００６６】
ステップＳＣ４０６において、コンソール１０３は、放射線撮影装置１０１と無線通信が可能か否かを判定する。前述の通り無線強度が閾値以下になった場合でも、閾値がマージンを加味した数値であれば、不安定になる可能性はあるものの、通信が継続できる場合がある。
【００６７】
ステップＳＣ４０６において、コンソール１０３は無線通信が可能であると判断した場合（ＳＣ４０６−Ｙｅｓ）、処理はステップＳＣ４０７に進められる。ステップＳＣ４０７の処理内容は、先に説明したステップＳＣ４０２、ＳＣ４０３の処理内容と同様である。図４の中では、これらの処理をＳＣＵ４００と定義して、ステップＳＣ４０７内の表記に置き換えている。ステップＳＣ４０７におけるＳＣＵ４００の処理が終わると、処理はステップＳＣ４０８に進められる。ステップＳＣ４０８において、コンソール１０３は、放射線撮影装置１０１へ子機として動作する旨の指示（子機化指示）を通知する。コンソール１０３の子機化指示の通知は、コンソール１０３から放射線撮影装置１０１に送信される。後に説明する放射線撮影装置１０１のステップＳＸ４０１の処理は、コンソール１０３から放射線撮影装置１０１に送信される子機化指示の通知に基づいて実行される。
【００６８】
ステップＳＣ４０９において、コンソール１０３は、放射線撮影装置１０１から子機化指示の通知に対する応答が有るか否かを判定する。子機化指示の通知に対する応答が無い場合（ＳＣ４０９−Ｎｏ）、コンソール１０３は応答待ちの状態で待機する。一方、子機化指示の通知に対する応答が有る場合（ＳＣ４０９−Ｙｅｓ）、処理はステップＳＣ４１３に進められ、コンソールの処理は終了する。本処理の実行により、コンソール１０３は、放射線撮影装置１０１のＡＰモードを終了させる。アクセスポイント（ＡＰ）として動作していた放射線撮影装置１０１のＡＰモードの動作が終了する。
【００６９】
一方、ステップＳＣ４０６において、コンソール１０３は、無線通信が不可能な状態と判定した場合（ＳＣ４０６−Ｎｏ）、処理はステップＳＣ４１０に進められる。ステップＳＣ４１０において、コンソール１０３はＡＰユニット１０４の有無を判断する処理を実行する。ＡＰユニット１０４の有無判断方法は、図３のステップＳ３０３の処理で説明した手法と同様の手法により、コンソール１０３はＡＰユニット１０４の有無を判断することができる。
【００７０】
ステップＳＣ４１０において、放射線撮影システム内に動作しているＡＰユニット１０４が存在すると判断された場合には（ＳＣ４１０−Ｙｅｓ）、処理はステップＳＣ４１１に進められる。
【００７１】
ステップＳＣ４１１の処理内容は、先に説明したステップＳＣ４０２、ＳＣ４０３の処理内容と同様である。図４の中では、これらの処理をＳＣＵ４００と定義して、ステップＳ４１１内の表記に置き換えている。ステップＳＣ４１１におけるＳＣＵ４００の処理が終わると、処理はステップＳＣ４１３に進められる。すなわち、コンソール１０３は、ユーザーである撮影者に対して、モニター等の表示部の表示によりアクセスポイント（ＡＰ）の切り替え実施（ＡＰの切替実施）を通知し（ＳＣ４０２）、ＡＰユニット１０４をデフォルトの接続先として設定する（ＳＣ４０３）。そして、ステップＳＣ４１３において、コンソールの処理は終了する。本処理の実行により、コンソール１０３は、放射線撮影装置１０１のＡＰモードを終了させる。アクセスポイント（ＡＰ）として動作していた放射線撮影装置１０１のＡＰモードの動作が終了する。
【００７２】
一方、ステップＳＣ４１０において、放射線撮影システム内にＡＰユニット１０４が存在しないと判断された場合（ＳＣ４１０−Ｎｏ）、処理はステップＳＣ４１２に進められる。ステップＳＣ４１２において、コンソール１０３は、放射線撮影システム内において使用できるアクセスポイント（ＡＰ）が存在しないことを、ユーザーである撮影者に対して通知した後に処理を終了する。
【００７３】
ステップＳＣ４１２の処理を実施した後は、アクセスポイント（ＡＰ）として動作している放射線撮影装置１０１と無線通信が再確立できる可能性を考慮せずに処理を終了している。しかしながら、本実施形態の処理はこの例に限定されず、例えば、再確立の可能性が有る場合に備えて、コンソール１０３は、一定時間ごとに、定期的に放射線撮影システム内のアクセスポイント（ＡＰ）を検索するような処理を実行することも可能である。
【００７４】
（放射線撮影装置１０１の処理）
続いて、ＡＰモードで動作している放射線撮影装置１０１の処理（ＳＸ４００）を説明する。ステップＳＸ４０１において、放射線撮影装置１０１は、コンソール１０３からの子機化指示の通知の有無を判定する。この子機化指示の通知は先述の通りコンソール１０３が無線強度（感度）の低下を検知したことをきっかけとして、コンソール１０３（ＳＣ４０８）から放射線撮影装置１０１に送信される。ステップＳＸ４０１において、放射線撮影装置１０１は、コンソール１０３から子機化指示の通知を受信したと判定した場合（ＳＸ４０１−Ｙｅｓ）、処理はステップＳＸ４０２に進められる。
【００７５】
ステップＳＸ４０２において、放射線撮影装置１０１は、受信した子機化指示の通知に対する了承通知をコンソール１０３に送信する。そして、ステップＳＸ４０７において、放射線撮影装置１０１は、ＡＰモードの動作を停止し、表示部の表示を制御して、ユーザーである撮影者にＡＰモードが停止したことを通知する。そして、ステップＳＸ４０８において、放射線撮影装置１０１は、ＡＰモードを終了する。
【００７６】
一方、ステップＳＸ４０１において、放射線撮影装置１０１は、コンソール１０３から子機化指示の通知を受信していないと判定した場合（ＳＸ４０１−Ｎｏ）、処理はステップＳＸ４０３に進められる。
【００７７】
ステップＳＸ４０３において、ＡＰモードで動作中の放射線撮影装置１０１は、放射線撮影装置１０１と接続先であるコンソール１０３との間の無線強度（無線感度）を確認する。この処理は、コンソール１０３のステップＳＣ４０５と同様の処理である。放射線撮影装置１０１は、無線強度（無線感度）が閾値以上であり、安定して無線通信を行うことが可能と判断した場合（ＳＸ４０３−Ｙｅｓ）、処理をステップＳＸ４０１に戻し、同様の処理を繰り返す。
【００７８】
一方、ステップＳＸ４０３において、無線強度（無線感度）が、閾値より低い場合、処理はステップＳＸ４０４に進められる。ステップＳＸ４０４において、放射線撮影装置１０１は、コンソール１０３と無線通信が可能か否かを判定する。コンソール１０３のステップＳＣ４０６で説明したように、無線強度が閾値以下になった場合でも、閾値がマージンを加味した数値であれば、不安定になる可能性はあるものの、通信が継続できる場合がある。
【００７９】
ステップＳＸ４０４において、放射線撮影装置１０１は無線通信が可能であると判断した場合（ＳＸ４０４−Ｙｅｓ）、処理はステップＳＸ４０５に進められる。
【００８０】
ステップＳＸ４０５において、放射線撮影装置１０１は、アクセスポイント（ＡＰ）としての動作を停止する旨の通知（ＡＰ停止通知）をコンソール１０３に送信する。ＡＰ停止通知は、放射線撮影装置１０１からコンソール１０３に送信され、コンソール１０３のステップＳＣ４０１の処理は、放射線撮影装置１０１からコンソール１０３に送信されるＡＰ停止通知に基づいて実行される。
【００８１】
ステップＳＸ４０６において、放射線撮影装置１０１は、送信したＡＰ停止通知に対する返答として、コンソール１０３から送信されるアクセスポイント（ＡＰ）の切替準備完了の通知の有無を判定する。
【００８２】
ステップＳ４０６の判定で、放射線撮影装置１０１は、アクセスポイント（ＡＰ）の切替準備完了通知を受信していないと判定した場合（ＳＸ４０６−Ｎｏ）、放射線撮影装置１０１はアクセスポイント（ＡＰ）の切替準備完了通知の受信待ちの状態で待機する。
【００８３】
一方、ステップＳＸ４０６において、放射線撮影装置１０１は、アクセスポイント（ＡＰ）の切替準備完了通知を受信したと判定した場合（ＳＸ４０６−Ｙｅｓ）、処理はステップＳＸ４０７に進められる。ステップＳＸ４０７で、放射線撮影装置１０１は、ＡＰモードの動作を停止し、表示部の表示を制御して、ユーザーである撮影者にＡＰモードが停止したことを通知する。そして、ステップＳＸ４０８において、放射線撮影装置１０１は、ＡＰモードを終了する。以上が無線通信動作不安定時におけるコンソールおよび放射線撮影装置の処理の説明である。
【００８４】
図４の説明では、アクセスポイント（ＡＰ）として動作している放射線撮影装置１０１と他機器との間の無線通信が安定して行えなくなった場合の処理を例示的に説明している。しかしながら、本実施形態はこの例に限定されるものではない。例えば、放射線撮影装置１０１の内部電源２０７の残容量が閾値より少なくなり、一定時間経過すると放射線撮影装置１０１が機能を停止せざるを得ない動作状態が判明したタイミングをきっかけにして、図４で説明した処理と同様の処理を実行することも可能である。その場合、例えば、図４のステップＳＸ４０３およびステップＳＣ４０５の処理を、内蔵電池残容量が閾値以上か否かを判定する処理にと置き換えることで、コンソールおよび放射線撮影装置において、同様の処理を実行することが可能になる。
【００８５】
また、本実施形態とは別に、一定時間の間、コンソール１０３とアクセスポイント（ＡＰ）として動作している放射線撮影装置１０１との間で無線通信によるやり取りが行われなかった場合に、放射線撮影装置１０１の動作を子機へと切り替える処理を、図４の一部の処理を置き換えることで実行することが可能である。具体的には、無線通信によるやり取りが行われなかった時間を「通信無し時間」とし、図４のステップＳＣ４０５及びＳＸ４０３の処理を、「通信無し時間が設定された時間経過？」に変更することで、設定された時間（閾値時間）の経過に基づいて、放射線撮影装置１０１の動作を親機として動作するＡＰモードから子機として動作する子機モード（ＳＴＡモード）に切り替えることが可能である。
【００８６】
コンソール１０３（制御装置）は、一定時間以上、無線通信が行われていない場合、親機として動作している放射線撮影装置を子機として動作させることが可能である。これにより、一定時間以上、無線通信が行われていないＡＰ動作中の放射線撮影装置１０１は、自らの制御によって、あるいはコンソール１０３からの指示によって、子機として動作するようになる。アクセスポイント（ＡＰ）として動作する場合は、子機として動作する場合に比べて実行する処理が増える可能性があり、処理の増加に伴い消費する電力も増加する場合がある。ここで説明したように一定時間以上、無線通信が行われていないコンソール１０３および放射線撮影装置１０１の間で、放射線撮影装置１０１を子機化することで、消費電力を抑制することが可能になる。
【００８７】
また、図４で説明した処理は、コンソール１０３や放射線撮影装置１０１の処理をきっかけとして行っているが、撮影者の操作に基づいて、アクセスポイント（ＡＰ）の切り替え、あるいは、ＡＰモードの停止操作をきっかけとしてのきっかけとなっても良い。例えば、アクセスポイント（ＡＰ）として動作させる機器をＡＰユニット１０４と放射線撮影装置１０１との間で切り替えたい場合等、撮影者の操作に基づいてアクセスポイント（ＡＰ）として動作させる機器の切替を行うことが可能になる。
【００８８】
（変形例）
第１実施形態の説明では、一つの放射線撮影システムにおける放射線撮影装置とコンソール（制御装置）の動作について説明したが、本発明は、この例に限定されず、例えば、複数の放射線撮影システムにおいて無線通信が可能な領域が重複するような場合でも適用可能である。
【００８９】
例えば、放射線撮影装置と制御装置とを有する第１の放射線撮影システムと、第２の放射線撮影システムとが病院内における隣の撮影室等に存在するような場合に、無線通信が可能な領域が重複し、第１の放射線撮影システムの制御装置は、第２の放射線撮影システムの放射線撮影装置と無線接続が可能になる。このような場合に、第１の放射線撮影システムの制御装置は、実際に撮影しようとしている第１の放射線撮影システム以外の第２の放射線撮影システムの放射線撮影装置に対して、第１の放射線撮影システムの放射線撮影装置の無線識別情報（例えば、ＳＳＩＤ）と同じ無線識別情報を生成してしまうと、誤送信が生じ得る。
【００９０】
このような誤送信を防止するために、本変形例における放射線撮影システムは、無線通信における親機または子機として動作可能な放射線撮影装置に対して無線通信が可能な制御装置を有する。制御装置は、放射線撮影システムにおいて、無線通信が可能な放射線撮影装置が存在するか否かを判定する判定部と、判定部の判定に基づいて、無線通信が可能な放射線撮影装置が複数存在する場合に、それぞれの放射線撮影装置の間で異なる無線識別情報を生成する生成部と、を備える。例えば、生成部は、無線識別情報を生成する際に、他の放射線撮影装置に対して割り当てられている無線識別情報を取得し、取得した無線識別情報と異なる無線識別情報を生成し、送信先の放射線撮影装置に設定することができる。制御装置の生成部は、他の放射線撮影装置に割り当てられている無線識別情報と異なる無線識別情報を付与するという制御を行うことにより、無線通信が可能な放射線撮影装置が複数存在する場合であっても、それぞれの放射線撮影装置の間で異なる無線識別情報を生成するため、誤送信を防ぐことができる。
【００９１】
（第２実施形態）
本実施形態では、前述の第１実施形態のようなコンソール１０３と放射線撮影装置１０１とが1ユニットずつ存在する放射線撮影システムに対し、新たに２つ目の放射線撮影装置が追加された場合について説明する。構成としては図２の構成に、新たに放射線撮影装置が一つ追加された構成となる。
【００９２】
図５は、複数の放射線撮影装置を使用する際の通信準備処理を説明する図である。以下、図５を参照して、２つ目以降の放射線撮影装置がペアリングされた際の処理の流れを説明する。本処理において、放射線撮影装置が無線通信の親機として動作している放射線撮影システムに放射線撮影装置が新たに追加された場合に、コンソール１０３（制御装置）は、追加された放射線撮影装置を無線通信の子機または親機として動作させるかを選択する。そして、コンソール１０３（制御装置）は、選択に基づいて、追加された放射線撮影装置の動作を制御する。
【００９３】
通信準備を開始してから１台目の放射線撮影装置(以下、撮影装置１)がペアリングされ通信準備が完了するまでの処理の内容は図３と同様である。このため、図５において、ステップＳ５０１における撮影装置１の通信準備処理を図３の処理と表記して、詳細な説明を省略している。尚、ステップＳ５０１の処理の結果として、ＡＰユニット１０４、または撮影装置１のいずれか一方がデフォルトの接続先ＡＰとして設定されているが、本実施形態では、撮影装置１がデフォルトの接続先ＡＰに設定されているものとする。
【００９４】
ステップＳ５０２において、２台目の放射線撮影装置(以下、撮影装置２)のペアリングが開始されると、ステップＳ５０３において、コンソール１０３は、撮影装置２を子機として使用するか否かを判定する。ステップＳ５０３の判定処理としては、撮影装置１を子機として使用するか否かを判定した処理（図３のＳ３０９）と同様の処理により実行することが可能である。
【００９５】
ステップＳ５０３において、撮影装置２を子機として使用しない、即ち、撮影装置２をアクセスポイント（ＡＰ：親機）として動作させる旨がユーザーである撮影者により選択された場合（Ｓ５０３−Ｎｏ）、処理はステップＳ５０４に進められる。親機の動作が選択された場合に、コンソール１０３（制御装置）は、親機として動作している放射線撮影装置を無線通信の子機として動作させた後に、固有の無線識別情報に基づいて追加された放射線撮影装置を無線通信の親機として動作させる。
【００９６】
撮影装置２をアクセスポイント（ＡＰ：親機）として使用する場合の処理（ステップＳ５０４〜Ｓ５０８）は、撮影装置１をアクセスポイント（ＡＰ）として動作させる際の処理（図３のＳＵ３００）とほぼ同じである。
【００９７】
具体的には、ステップＳ５０４において、コンソール１０３は、撮影装置２がＡＰモードで動作するのに必要な無線識別情報（無線ＩＤ）として、ＡＰ動作用ＳＳＩＤを生成する。本システムでは、複数の放射線撮影装置（撮影装置１、２）がシステム内に組み込まれるため、コンソール１０３は、固有の無線識別情報（無線ＩＤ）となるようにＳＳＩＤを生成する。
【００９８】
ステップＳ５０４で固有のＳＳＩＤが生成されると処理はステップＳ５０５に進められる。ステップＳ５０５において、コンソール１０３は、撮影装置２に対してＡＰモードで動作するように指示（ＡＰ化指示）をする。
【００９９】
そして、ステップＳ５０６において、コンソール１０３は、ステップＳ５０４で生成されたＳＳＩＤを撮影装置２に通知する。ステップＳ５０７において、コンソール１０３からの指示及びＳＳＩＤの情報を受信した撮影装置２は、受信したＳＳＩＤを用いて、アクセスポイント（ＡＰ）としての動作（ＡＰモードの動作）を開始する。その後、ステップＳ５０８において、コンソール１０３とＡＰモードの撮影装置２との間で無線接続が確立する。ＳＳＩＤの通知から一定時間が経過するか、若しくは、ＡＰモードで動作を開始した撮影装置２からの準備完了通知をコンソール１０３が受信することで、コンソール１０３と、ＳＳＩＤを通知した撮影装置２との間の無線接続が確立する。そして、コンソール１０３は、自装置のデフォルトの接続先のアクセスポイント（ＡＰ）を撮影装置１から撮影装置２に設定する。本処理によりデフォルトのアクセスポイント（ＡＰ）として撮影装置２が設定される。
【０１００】
次に、ステップＳ５０９において、コンソール１０３は撮影装置１がアクセスポイント（ＡＰ）として動作しているか判定し、撮影装置１がアクセスポイント（ＡＰ）として動作していない場合（Ｓ５０９−Ｎｏ）、処理はステップＳ５１７に進められ、通信準備完了となる。
【０１０１】
一方、ステップＳ５０９の判定で、撮影装置１がアクセスポイント（ＡＰ）として動作している場合（Ｓ５０９−Ｙｅｓ）、処理はステップＳ５１０に進められる。ステップＳ５１０に処理が進められると、コンソール１０３は、撮影装置１を子機化するか否かを判定する。
【０１０２】
本実施形態においては、撮影装置１および撮影装置２のそれぞれが固有のＳＳＩＤを持っているために、何れの撮影装置も同時にアクセスポイント（ＡＰ）として動作することが可能である。しかしながら、アクセスポイント（ＡＰ）としての動作が必要でない撮影装置については省電力化の観点や、限りある無線チャンネルをできる限り解放するために子機としての動作に切り替える方が好ましい場合がある。そのため、アクセスポイント（ＡＰ）として動作していた撮影装置１を子機としての動作に切り替えるか否かを、本ステップで判定する。
【０１０３】
コンソール１０３はペアリングされた撮影装置１をどの様に動作させるかをユーザーに確認するためのウインドウをモニターに表示し、ユーザーである撮影者に選択を促す。撮影者の選択の結果として、撮影装置１をアクセスポイント（ＡＰ：親機）として動作させる旨が選択された場合（Ｓ５１０−Ｎｏ）、処理はステップＳ５１７に進められ、処理は終了する。一方、ステップＳ５１０の判定で、撮影装置１を子機として動作させる旨が撮影者により選択された場合、処理はステップＳ５１１に進められる。
【０１０４】
処理がステップＳ５１１に進められると、コンソール１０３は撮影装置１へ子機として動作する旨の指示（子機化指示）を通知する。
【０１０５】
ステップＳ５１２において、コンソール１０３は接続すべきアクセスポイント（ＡＰ）として、デフォルトのアクセスポイント（ＡＰ）である撮影装置２のＳＳＩＤを撮影装置１に通知する。そして、ステップＳ５１３において、撮影装置１とデフォルトのアクセスポイント（ＡＰ）として動作している撮影装置２との間で無線接続が確立され、通信準備が完了となる（Ｓ５１７）。
【０１０６】
一方、ステップＳ５０３の判定の結果により、撮影装置２を子機として動作させる旨が撮影者により選択された場合（Ｓ５０３−Ｙｅｓ）、処理はステップＳ５１４に進められる。子機の動作が選択された場合に、コンソール１０３（制御装置）は、親機として動作している放射線撮影装置の無線識別情報を、追加された放射線撮影装置に通知し、追加された放射線撮影装置を無線通信の子機として動作させる。
【０１０７】
処理がステップＳ５１４に進められると、コンソール１０３は撮影装置２へ子機として動作する旨の指示（子機化指示）を通知し、ステップＳ５１５において、コンソール１０３は、接続すべきアクセスポイント（ＡＰ）として、デフォルトのアクセスポイント（デフォルトＡＰ）として動作している撮影装置１のＳＳＩＤを撮影装置２に通知する。そして、ステップＳ５１６において、撮影装置２とデフォルトのアクセスポイント（デフォルトＡＰ）として動作している撮影装置１との間で無線接続が確立され、通信準備が完了となる（Ｓ５１７）。
【０１０８】
以上が２台目の放射線撮影装置が放射線撮影システムへ追加された際の処理であるが、同様の処理を実行することにより、３台目以降の放射線撮影装置を放射線撮影システムへ追加することが可能である。
【０１０９】
また、図５の処理において、ステップＳ５０９からＳ５１３において新規に追加した放射線撮影装置（撮影装置２）以外の放射線撮影装置（例えば、撮影装置１）を子機化するような処理となっているが、本実施形態はこの例に限定されるものではない。例えば、コンソール１０３は、多数の放射線撮影装置がペアリングされた場合には選択的にどの撮影装置をＡＰ化し、どの撮影装置を子機化するか選択することが可能であり、複数台のアクセスポイント（ＡＰ）と複数台の子機とが、混在するように放射線撮影システムを構成することも可能である。また、図５の処理において、コンソールは、ＡＰ化、または子機化の選択をユーザーである撮影者が任意のタイミングで選択できるような選択部を有することも可能である。
【０１１０】
（無線通信動作不安定時におけるコンソールおよび放射線撮影装置の処理例）
続いて、放射線撮影装置がアクセスポイント（ＡＰ）として動作している状況に於いて、放射線撮像装置がシステムから離れた場所へ持ち出された場合や、動作が不安定化した場合の放射線撮影装置およびコンソールの処理を、図６を用いて説明する。
【０１１１】
図６は、先に説明した図４の処理のうち、コンソール１０３側の処理に対応するものであり、複数の放射線撮影装置が放射線撮影システム内に存在している場合におけるコンソール１０３の処理が追加されている。フローチャートのステップ番号を「ＳＣ」で示している。
【０１１２】
コンソール１０３の処理（ＳＣ６００）を、以下具体的に説明する。ステップＳＣ６０１において、コンソール１０３は、ＡＰモードで動作している放射線撮影装置１０１が放射線撮影システム内に存在する場合、放射線撮影装置１０１からアクセスポイント（ＡＰ）としての動作を停止する旨の通知（ＡＰ停止通知）の有無を監視する。
【０１１３】
コンソール１０３は、放射線撮影装置１０１からの通知（ＡＰ停止通知）を受信した場合（ＳＣ６０１−Ｙｅｓ）、コンソール１０３は、処理をステップＳＣ６０２に進める。
【０１１４】
ステップＳＣ６０２において、コンソール１０３は、ユーザーである撮影者に対して、アクセスポイント（ＡＰ）として動作している放射線撮影装置を切り替える必要がある旨を通知するとともに、アクセスポイント（ＡＰ）として動作することが可能な放射線撮影装置やＡＰユニット１０４を候補として通知する。コンソール１０３は、例えば、モニター等の表示部に、アクセスポイント（ＡＰ）の候補を表示（ＡＰ候補選択画面表示）することにより、放射線撮影装置の切り替えの通知を行うことが可能である。例えば、アクセスポイント（ＡＰ）として動作可能な放射線撮影装置には、本処理のために、ペアリング時に固有のＳＳＩＤが割り振られる。これにより、システム内に存在する放射線撮影装置の全てを候補として、ＡＰ候補選択画面に表示に提示できる。
【０１１５】
ステップＳＣ６０３において、コンソール１０３は、ユーザーからのアクセスポイント（ＡＰ）候補の選択の有無を判定する。すなわち、コンソール１０３は、ユーザーである撮影者から、アクセスポイント（ＡＰ）として動作させたい放射線撮影装置の指示が与えられたか否かを判定する。
【０１１６】
ユーザーからの選択指示が無い場合（ＳＣ６０３−Ｎｏ）、コンソール１０３は、ユーザーからの選択指示待ちの状態で待機する。一方、ステップＳＣ６０３の判定で、ユーザーからの選択指示が有ると（ＳＣ６０３−Ｙｅｓ）、処理はステップＳ６０４に進められる。
【０１１７】
ステップＳＣ６０４において、コンソール１０３は、選択された対象の放射線撮影装置に対して、ＡＰモードで動作するように指示（ＡＰ化指示）を出力する。
【０１１８】
その後、ステップＳＣ６０５に処理が進められると、コンソール１０３は、ＡＰ化を指示した放射線撮影装置（ＡＰ候補撮影装置）からの応答（通知受信完了やＡＰ化完了等の応答）の有無を判定する。ＡＰ化を指示した放射線撮影装置（ＡＰ候補撮影装置）からの応答が無い場合（ＳＣ６０５−Ｎｏ）、コンソール１０３は、放射線撮影装置からの応答待ちの状態で待機する。一方、ステップＳＣ６０５の判定で、放射線撮影装置（ＡＰ候補撮影装置）からの応答が有った場合（ＳＣ６０５−Ｙｅｓ）、処理はステップＳＣ６０６に進められる。
【０１１９】
ステップＳＣ６０６に処理が進められると、コンソール１０３は、新しくアクセスポイント（ＡＰ）として動作する放射線撮影装置（例えば、撮影装置２）へと接続を切り替える。そして、コンソール１０３は、デフォルト設定によりアクセスポイント（ＡＰ）として動作している放射線撮影装置１０１に対して、アクセスポイント（ＡＰ）の切替準備が完了したことを通知する。更に、コンソール１０３は、新しくアクセスポイント（ＡＰ）として動作する放射線撮影装置（撮影装置２）のＳＳＩＤを通知する。すなわち、コンソール１０３は、新しくアクセスポイント（ＡＰ）として動作する放射線撮影装置（撮影装置２）へ接続を切替え、デフォルト設定によりアクセスポイント（ＡＰ）として動作していた放射線撮影装置１０１に対して切替準備完了と新しいＡＰ（撮影装置２）のＳＳＩＤを、ＡＰとして動作していた放射線撮影装置１０１に通知する。
【０１２０】
ステップＳＣ６０６の後、処理はステップＳＣ６１６に進められ、ステップＳＣ６１６において、コンソール１０３は、放射線撮影装置１０１のＡＰモードを終了させる。アクセスポイント（ＡＰ）として動作していた放射線撮影装置１０１のＡＰモードの動作が終了する。
【０１２１】
一方、ステップＳＣ６０１の判定で、ＡＰモードで動作している放射線撮影装置１０１からの通知（ＡＰ停止通知）を受信していない場合（ＳＣ６０１−Ｎｏ）、コンソール１０３は、処理をステップＳＣ６０７に進める。
【０１２２】
ステップＳＣ６０７において、コンソール１０３は、コンソール１０３と接続先であるＡＰモードで動作中の放射線撮影装置１０１との間の無線強度（無線感度）を確認する。ここで、コンソール１０３は、無線強度（無線感度）が閾値以上であり、安定して無線通信を行うことが可能と判断した場合（ＳＣ６０７−Ｙｅｓ）、コンソール１０３は処理をステップＳＣ６０１に戻し、同様の処理を繰り返す。一方、ステップＳＣ６０７において、無線強度（無線感度）が、閾値より低い場合（ＳＣ６０７−Ｎｏ）、処理はステップＳＣ６０８に進められる。
【０１２３】
ステップＳＣ６０８において、コンソール１０３は無線通信が可能であると判断した場合（ＳＣ６０８−Ｙｅｓ）、処理はステップＳＣ６０９に進められる。ステップＳＣ６０９の処理内容は、先に説明したステップＳＣ６０２〜ＳＣ６０５の処理内容と同様である。図６の中では、これらの処理をＳＣＵ６００と定義して、ステップＳＣ６０９内の表記に置き換えている。ステップＳＣ６０９におけるＳＣＵ６００の処理によって新規のＡＰ候補である放射線撮影装置（ＡＰ候補撮影装置）の準備が整ったら、処理はステップＳＣ６１０に進められる。
【０１２４】
ステップＳＣ６１０において、コンソール１０３は、アクセスポイント（ＡＰ）として動作している放射線撮影装置１０１に対して、子機として動作する旨の指示（子機化指示）を通知する。
【０１２５】
そして、ステップＳＣ６１１において、コンソール１０３は、放射線撮影装置１０１から子機化指示の通知に対する応答が有るか否かを判定する。子機化指示の通知に対する応答が無い場合（ＳＣ６１１−Ｎｏ）、コンソール１０３は応答待ちの状態で待機する。一方、子機化指示の通知に対する応答が有る場合（ＳＣ６１１−Ｙｅｓ）、処理はステップＳＣ６１６に進められ、ステップＳＣ６１６において、コンソール１０３は、放射線撮影装置１０１のＡＰモードを終了させる。アクセスポイント（ＡＰ）として動作していた放射線撮影装置１０１のＡＰモードの動作が終了する。
【０１２６】
一方、ステップＳＣ６０８において、コンソール１０３は、無線通信が不可能な状態と判定した場合（ＳＣ６０８−Ｎｏ）、処理はステップＳＣ６１２に進められる。
【０１２７】
ステップＳＣ６１２において、コンソール１０３は、アクセスポイント（ＡＰ）の候補（ＡＰ候補）として、アクセスポイント（ＡＰ）として動作することが可能な放射線撮影装置やＡＰユニット１０４が放射線撮影システム内に存在するか否かを判断する。ステップＳＣ６１２の判定処理は、例えば、図３のＳ３０３の処理や図４のＳＣ４１０の処理のように、ＡＰユニット１０４が放射線撮影システム内に存在するか否かと同様の処理を適用することが可能である。
【０１２８】
ステップＳＣ６１２の判定で、アクセスポイント（ＡＰ）の候補（ＡＰ候補）が放射線撮影システム内に存在している場合は（ＳＣ６１２−Ｙｅｓ）、処理はステップＳＣ６１３に進められる。
【０１２９】
ステップＳＣ６１３の処理内容は、先に説明したステップＳＣ６０２〜ＳＣ６０５の処理内容と同様である。図６の中では、これらの処理をＳＣＵ６００と定義して、ステップＳＣ６１３内の表記に置き換えている。ステップＳＣ６１３におけるＳＣＵ６００の処理によって新規のＡＰ候補である放射線撮影装置（ＡＰ候補撮影装置）の準備が整ったら、処理はステップＳＣ６１４に進められる。
【０１３０】
ステップＳＣ６１４において、コンソール１０３は、アクセスポイント（ＡＰ）として動作していた放射線撮影装置１０１に子機として動作する旨の指示（子機化指示）を通知する。そして、コンソール１０３は、新しくＡＰモードで動作する放射線撮影装置のＳＳＩＤを、子機として動作する放射線撮影装置１０１に通知する。
【０１３１】
すなわち、コンソール１０３は、元々のアクセスポイント（ＡＰ）に接続していた無線子機に対して新しいアクセスポイント（ＡＰ）の情報（ＡＰ情報）を通知する。この時、アクセスポイント（ＡＰ）として元々動作していた放射線撮影装置は無線通信が繋がらない状態なので、コンソール１０３は、従来のアクセスポイント（ＡＰ）を介さずに、新たにＡＰモードで動作する新規のアクセスポイント（ＡＰ）のＳＳＩＤを、アクセスポイント（ＡＰ）として元々動作していた放射線撮影装置に通知する。新規のアクセスポイント（ＡＰ）のＳＳＩＤを通知する手法としてはいくつかの手法が想定される。
【０１３２】
例えば、その一例として、コンソール１０３は、事前にアクセスポイント（ＡＰ）として動作している放射線撮影装置から子機として接続されている機器の情報を取得しておき、アクセスポイント（ＡＰ）が不在となった際に、コンソール１０３は、取得した子機の情報を元に新規のアクセスポイント（ＡＰ）のＳＳＩＤを通知することが可能である。
【０１３３】
あるいは、新たにアクセスポイント（ＡＰ）として動作する放射線撮影装置のＳＳＩＤについて、コンソール１０３は、ペアリングの際に割り振られたＳＳＩＤでは無く、元々動作していたアクセスポイント（ＡＰ）のＳＳＩＤの情報を含んだＳＳＩＤや優先的に接続するべきアクセスポイント（ＡＰ）を示す情報を含んだＳＳＩＤを生成することで、子機が自装置の判断で新しいＳＳＩＤのアクセスポイント（ＡＰ）に接続するように設定することも可能である。
【０１３４】
例えば、アクセスポイント（ＡＰ）として動作していた放射線撮影装置のＳＳＩＤが、「AP_ID1_YYMMDD1」であったとする。この情報はコンソール１０３において既知の情報である。
【０１３５】
コンソール１０３は、他の放射線撮影装置に対して新たにＡＰモードで動作するように指示（ＡＰ化指示）する際に、他の放射線撮影装置に対して割り当てられるＳＳＩＤの先頭に、既知のＳＳＩＤの情報である「AP_ID1_YYMMDD1」を付加するように生成する。例えば、新たにアクセスポイント（ＡＰ）として動作する放射線撮影装置のＳＳＩＤが「AP_ID2_YYMMDD2」であった場合、コンソール１０３は、新たにＡＰモードで動作する他の放射線撮影装置のＳＳＩＤとして、「AP_ID1_YYMMDD1_AP_ID2_YYMMDD2」を生成する。元々のアクセスポイント（ＡＰ）に接続していた子機は、ＳＳＩＤの名称から置き換え先として用意され、新たにＡＰモードで動作する親機であることを判断できる。
【０１３６】
また、コンソール１０３は、「1stPri_AP」等、優先的に接続すべきアクセスポイント（ＡＰ）のＳＳＩＤに付加される付加情報（例えば、文字列）を事前に設定しておき、アクセスポイント（ＡＰ）を切り替える際に、コンソール１０３は、新たにＡＰモードで動作する親機のＳＳＩＤに対して、接続の優先順位を示す付加情報を付加することも可能である。コンソール１０３は、上記のようなＳＳＩＤを設定した場合には、一定時間の後に元々割り振られていたＡＰ動作用のＳＳＩＤへと移行しても良い。コンソール１０３は、アクセスポイント（ＡＰ）の切り替えの際に、アクセスポイント（ＡＰ）に接続されている子機に対してＳＳＩＤを切り替えることを通知し、切り替え後の新たなアクセスポイント（ＡＰ）に対する子機の接続が再び確立できるようにしておくことが可能である。
【０１３７】
ステップＳＣ６１４の後、処理はステップＳＣ６１６に進められる。ステップＳＣ６１６において、コンソール１０３は、放射線撮影装置１０１のＡＰモードを終了させる。アクセスポイント（ＡＰ）として動作していた放射線撮影装置１０１のＡＰモードの動作が終了する。
【０１３８】
一方、ステップＳＣ６１２の判定で、アクセスポイント（ＡＰ）の候補（ＡＰ候補）が放射線撮影システム内に存在していない場合は（ＳＣ６１２−Ｎｏ）、処理はステップＳＣ６１５に進められる。
【０１３９】
ステップＳＣ６１５において、アクセスポイント（ＡＰ）の候補（ＡＰ候補）が放射線撮影システム内に存在していない場合に、コンソール１０３は、ユーザーである撮影者に対して、無線通信が停止する旨をコンソール１０３のモニター等を介して通知する。そして、コンソール１０３は、放射線撮影装置１０１のＡＰモードを終了させる。アクセスポイント（ＡＰ）として動作していた放射線撮影装置１０１のＡＰモードの動作が終了する。
【０１４０】
続いて図６に示したコンソール側の処理と対になる、放射線撮影装置側の処理を、図７を用いて説明する。ＡＰ動作中の放射線撮影装置と子機動作中の放射線撮影装置の処理を図７に示す。
【０１４１】
図７（ａ）はアクセスポイント（ＡＰ）として動作している放射線撮影装置（以下、放射線撮影装置１０１）の処理であり、図７（ｂ）は子機として動作している放射線撮影装置（以下、放射線撮影装置１５１）の処理である。図７（ａ）のフローチャートのステップ番号を「ＳＸＡ」で示し、図７（ｂ）のフローチャートのステップ番号を「ＳＸＣ」で示している。
【０１４２】
（ＡＰモードとして動作している放射線撮影装置の処理）
まず、図７（ａ）を用いて、アクセスポイント（ＡＰ）として動作（ＡＰモードで動作）している放射線撮影装置１０１の処理を説明する。ステップＳＸＡ７００において、ＡＰモードで動作している放射線撮影装置１０１の処理が開始する。ステップＳＸＡ７０１において、放射線撮影装置１０１は、子機化指示の通知の有無を判定する。ステップＳＸＡ７０１において、放射線撮影装置１０１は、子機化指示の通知を受信したと判定した場合（ＳＸ４０１−Ｙｅｓ）、処理はステップＳＸＡ７０２に進められる。
【０１４３】
ステップＳＸＡ７０２において、放射線撮影装置１０１は、受信した子機化指示の送信元がコンソール１０３であるか否かを判定する。送信元がコンソール１０３である場合（ＳＸＡ７０２−Ｙｅｓ）、処理はステップＳＸＡ７０３に進められる。ここで、送信元のコンソール１０３からは、新たにアクセスポイント（ＡＰ）として動作する親機のＳＳＩＤが子機化指示と共に通知される。
【０１４４】
そして、ステップＳＸＡ７０３において、放射線撮影装置１０１は、受信した子機化指示の通知に対する了承通知をコンソール１０３に送信する。ステップＳＸＡ７０３の後、処理はステップＳＸＡ７０４に進められる。
【０１４５】
一方、ステップＳＸＡ７０２の判定で、受信した子機化指示の送信元が、例えば、無線通信の子機からの指示であり、送信元がコンソール１０３でない場合（ＳＸＡ７０２−Ｎｏ）、処理はステップＳＸＡ７０６に進められる。そして、ステップＳＸＡ７０６において、放射線撮影装置１０１は、アクセスポイント（ＡＰ）としての動作を停止する旨の通知（ＡＰ停止通知）をコンソール１０３に送信する。
【０１４６】
ステップＳＸＡ７０７において、放射線撮影装置１０１は、送信したＡＰ停止通知に対する返答として、コンソール１０３から送信されるアクセスポイント（ＡＰ）の切替準備完了の通知（図６のステップＳＣ６０６で送信される通知）の有無を判定する。
【０１４７】
ステップＳＸＡ７０７の判定で、放射線撮影装置１０１は、アクセスポイント（ＡＰ）の切替準備完了通知を受信していないと判定した場合（ＳＸＡ７０７−Ｎｏ）、放射線撮影装置１０１はアクセスポイント（ＡＰ）の切替準備完了通知の受信待ちの状態で待機する。
【０１４８】
一方、ステップＳＸＡ７０７において、放射線撮影装置１０１は、アクセスポイント（ＡＰ）の切替準備完了通知を受信したと判定した場合（ＳＸＡ７０７−Ｙｅｓ）、処理はステップＳＸＡ７０４に進められる。ここで、コンソール１０３からは、切替準備完了通知と共に、新たにアクセスポイント（ＡＰ）として動作する親機のＳＳＩＤが通知される。
【０１４９】
ステップＳＸＡ７０４において、放射線撮影装置１０１は、自装置へ接続中の子機に対して、新たにアクセスポイント（ＡＰ）として動作する親機（新規ＡＰ）のＳＳＩＤを通知する。そして、ステップＳＸＡ７０５において、放射線撮影装置１０１は、コンソール１０３から通知されたＳＳＩＤのアクセスポイント（ＡＰ）と接続する。そして、ステップＳＸＡ７１１において、放射線撮影装置１０１において、ＡＰモードの動作は終了する。
【０１５０】
一方、ステップＳＸＡ７０１の判定で、放射線撮影装置１０１は、子機化指示の通知を受信していないと判定した場合（ＳＸＡ７０１−Ｎｏ）、処理はステップＳＸＡ７０８に進められる。
【０１５１】
ステップＳＸＡ７０８において、放射線撮影装置１０１は、無線強度（無線感度）を確認する。ここで、放射線撮影装置１０１は、無線強度（無線感度）が閾値以上であり、安定して無線通信を行うことが可能と判断した場合（ＳＸＡ７０８−Ｙｅｓ）、放射線撮影装置１０１は処理をステップＳＸＡ７０１に戻し、同様の処理を繰り返す。一方、ステップＳＸＡ７０８において、無線強度（無線感度）が、閾値より低い場合、例えば、放射線撮影装置１０１が、安定した無線強度（無線感度）を確保できていないと判断した場合（ＳＸＡ７０８−Ｎｏ）、処理はステップＳＸＡ７０９に進められる。ここで用いる閾値については、例えば、無線通信が可能とされる下限強度（下限感度）に設定してもよいし、下限強度（下限感度）に対してある程度のマージンを持った値を閾値として設定することも可能である。
【０１５２】
ステップＳＸＡ７０９において、放射線撮影装置１０１は、無線通信が可能か否かを判定する。前述の通り無線強度が閾値以下になった場合でも、閾値がマージンを加味した数値であれば、不安定になる可能性はあるものの、通信が継続できる場合がある。ステップＳＸＡ７０９において、放射線撮影装置１０１は無線通信が可能であると判断した場合（ＳＸＡ７０９−Ｙｅｓ）、処理はステップＳＸＡ７０６に進められる。ステップＳＸＡ７０６以降については、先に説明した処理が実行される。
【０１５３】
一方、ステップＳＸＡ７０９の判定において、放射線撮影装置１０１は、無線通信が不可能な状態と判定した場合（ＳＸＡ７０９−Ｎｏ）、処理はステップＳＸＡ７１０に進められる。ステップＳＸＡ７１０において、放射線撮影装置１０１は、ＡＰモードの動作を停止し、表示部の表示を制御して、ユーザーである撮影者にＡＰモードが停止したことを通知する。そして、ステップＳＸＡ７１１において、放射線撮影装置１０１は、ＡＰモードを終了する。
【０１５４】
（子機モードとして動作している放射線撮影装置の処理）
次に、図７（ｂ）を用いて、子機モード（ＳＴＡモード）として動作している放射線撮影装置１５１の処理を説明する。放射線撮影装置１５１の内部構成は、図２で説明した放射線撮影装置１０１の内部構成例と同様である。
【０１５５】
ステップＳＸＣ７００において、子機モードで動作している放射線撮影装置１５１の処理が開始する。ステップＳＸＣ７０１において、放射線撮影装置１５１は、コンソール１０３からＡＰモードで動作するように指示（ＡＰ化指示）を受信したか判定する。ステップＳＸＣ７０１の判定で、ＡＰ化指示を受信した場合（ＳＸＣ７０１−Ｙｅｓ）、処理はステップＳＸＣ７０２に進められる。ステップＳＸＣ７０２において、放射線撮影装置１５１は、受信したＡＰ化指示に対する了承通知をコンソール１０３に送信する。そして、ステップＳＸＣ７０３において、放射線撮影装置１５１は、コンソール１０３から送信されたＡＰモードで動作するためのＳＳＩＤ（ＡＰ用ＳＳＩＤ）により、ＡＰモードでの動作を開始し、ステップＳＸＣ７１４により、放射線撮影装置１５１における子機モード（ＳＴＡモード）からＡＰモードへ変更する動作モードの変更処理が終了する。
【０１５６】
一方、ステップＳＸＣ７０１の判定で、ＡＰ化指示を受信していない場合（ＳＸＣ７０１−Ｎｏ）、処理はステップＳＸＣ７０４に進められる。
【０１５７】
ステップＳＸＣ７０４において、放射線撮影装置１５１は、現在接続しているアクセスポイント（ＡＰ）とは異なり、新たにアクセスポイント（ＡＰ）として動作する親機（新規ＡＰ）の通知がコンソール１０３から通知されたか判定する。新たにアクセスポイント（ＡＰ）として動作する親機（新規ＡＰ）がコンソール１０３から通知された場合（ＳＸＣ７０４−Ｙｅｓ）、処理はステップＳＸＣ７０５に進められ、ステップＳＸＣ７０５において、放射線撮影装置１５１は、コンソール１０３から通知されたＳＳＩＤのアクセスポイント（新規ＡＰ）と接続する。そして、ステップＳＸＣ７１４において、放射線撮影装置１５１は、接続先であるアクセスポイント（ＡＰ）の変更処理を終了する。
【０１５８】
ステップＳＸＣ７０４において、新たにアクセスポイント（ＡＰ）として動作する親機（新規ＡＰ）がコンソール１０３から通知されていない場合（ＳＸＣ７０４−Ｎｏ）、処理はステップＳＸＣ７０６に進められる。ステップＳＸＣ７０６において、子機モード（ＳＴＡモード）で動作中の放射線撮影装置１５１は、無線強度（無線感度）を確認する。放射線撮影装置１５１は、無線強度（無線感度）が閾値以上であり、安定して無線通信を行うことが可能と判断した場合（ＳＸＣ７０６−Ｙｅｓ）、処理をステップＳＸＣ７０１に戻し、同様の処理を繰り返す。
【０１５９】
一方、ステップＳＸＣ７０６において、無線強度（無線感度）が、閾値より低い場合、処理はステップＳＸＣ７０７に進められる。ステップＳＸＣ７０７において、放射線撮影装置１５１は、コンソール１０３と無線通信が可能か否かを判定する。アクセスポイント（ＡＰ）が正常に動作していた際に、放射線撮影装置１５１は、コンソール１０３の通信用情報を取得し、保存しておくことで、コンソール１０３との通信を実行することができる。
【０１６０】
ステップＳＸＣ７０７において、放射線撮影装置１５１は無線通信が可能であると判断した場合（ＳＸＣ７０７−Ｙｅｓ）、処理はステップＳＸＣ７０８に進められる。
【０１６１】
ステップＳＸＣ７０８において、放射線撮影装置１５１はコンソール１０３にアクセスポイント（ＡＰ）が不在である旨を通知して、処理をステップＳＸＣ７０９に進める。
【０１６２】
ステップＳＸＣ７０９において、放射線撮影装置１５１は、新たにアクセスポイント（ＡＰ）として動作する親機（新規ＡＰ）のＳＳＩＤがコンソール１０３から通知されたか判定し、親機（新規ＡＰ）のＳＳＩＤがコンソール１０３から通知されない場合（ＳＸＣ７０９−Ｎｏ）、放射線撮影装置１５１は、ＳＳＩＤの通知待ちの状態で待機する。一方、ステップＳＸＣ７０９の判定で、親機（新規ＡＰ）のＳＳＩＤがコンソール１０３から通知された場合（ＳＸＣ７０９−Ｙｅｓ）、処理はステップＳＸＣ７１０に進められる。
【０１６３】
ステップＳＸＣ７１０において、放射線撮影装置１５１は、コンソール１０３から送信されたＳＳＩＤにより、新たにアクセスポイント（ＡＰ）として動作する親機（新規ＡＰ）と接続し、処理を終了する（ＳＸＣ７１４）。
【０１６４】
ステップＳＸＣ７０７の判定で、放射線撮影装置１５１は無線通信が可能でないと判断した場合（ＳＸＣ７０７−Ｎｏ）、処理はステップＳＸＣ７１１に進められる。
【０１６５】
ステップＳＸＣ７１１において、放射線撮影装置１５１は、アクセスポイント（ＡＰ）として動作している放射線撮影装置と通信が可能か判定する。この判定結果により、アクセスポイント（ＡＰ）として動作している放射線撮影装置と通信可能である場合（ＳＸＣ７１１−Ｙｅｓ）、処理はステップＳＸＣ７１２に進められる。そして、ステップＳＸＣ７１２において、放射線撮影装置１５１は、アクセスポイント（ＡＰ）として動作している放射線撮影装置に対して、ＡＰモードでの動作の停止を指示する（ＡＰ停止指示）。そして、ステップＳＸＣ７１２の処理の後、処理はステップＳＸＣ７０９に進められ、ステップＳＸＣ７０９以降については、先に説明した処理が実行される。
【０１６６】
一方、ステップＳＸＣ７１１において、アクセスポイント（ＡＰ）として動作している放射線撮影装置との通信が不可能である場合（ＳＸＣ７１１−Ｎｏ）、処理はステップＳＸＣ７１３に進められ、子機モード（ＳＴＡモード）で動作している放射線撮影装置１５１は、無線子機として接続先が得られない状態であることを表示部等を通して通知し、処理を終了する（ＳＸＣ７１４）。
【０１６７】
本実施形態では、コンソール１０３、ＡＰユニット１０４、放射線撮影装置の機器がシステム内に存在する場合について説明したが、これ以外の機器をシステム内に含んでもよい。例えば、ユーザーである撮影者がコンソール１０３よりも可搬性に優れるものの、処理性能でコンソール１０３よりも劣る様なタブレットＰＣを介して操作を行いたいと考えた場合、タブレットＰＣがアクセスポイント（ＡＰ）を介してコンソール１０３と接続し、リモート操作が可能なシステム構成が想定される。この様なシステム構成においても、タブレットＰＣを子機として置き換えれば前述の実施形態の構成および処理を適用することが可能である。尚、ここで説明したタブレットＰＣのような情報処理装置は、自装置がアクセスポイント（ＡＰ）として動作する機能を備えることが可能であり、アクセスポイント（ＡＰ）として動作する機能を備えることにより、情報処理装置は放射線撮影装置の処理と同様の処理フローを実行することが可能になる。一方、アクセスポイント（ＡＰ）として動作する機能を備えない場合であっても、ＡＰモードで動作するＡＰ化指示が与えられない、若しくは与えられてもそれを拒否する通知を出力する構成にすればよい。
【０１６８】
（第３実施形態）
第２実施形態では、アクセスポイント（ＡＰ：親機）として動作しているユニット数について特に制限を設けない構成を説明したが、アクセスポイント（ＡＰ）として動作するユニットの制限数（例えば、ユニット数の上限数、またはユニット数の下限数、あるいはその両方）を設定できるようにしてもよい。また、設定された制限数を超えるような状況に陥った場合にはコンソール１０３や放射線撮影装置の表示部等を介してその旨をユーザーへ通知することも可能である。本実施形態では、かかる構成を実現する放射線撮影システムにおける、通信準備処理、放射線撮影装置を放射線撮影装置をシステムに追加する処理、および、ＡＰモードで動作中の放射線撮影装置の停止処理について説明する。
【０１６９】
（通信準備処理）
図８は、アクセスポイント（ＡＰ）として動作するユニットの制限数を設定する場合のコンソールにおける通信準備時処理の流れを説明する図である。
【０１７０】
撮影を始める際には、第１実施形態の図３のステップＳ３０１で説明したように、各ユニットが起動される。
【０１７１】
ステップＳ８０１において、ユーザーの操作入力に基づき、コンソール１０３は、アクセスポイント（ＡＰ）として動作可能なユニットの制限数（ユニット数の上限数、ユニット数の下限数）を設定する。制限数の設定がなされた後、ステップＳ８０２において、コンソール１０３は、放射線撮影システム内に存在するＡＰユニット１０４数を確認する。そして、ステップＳ８０３において、コンソール１０３は、１台目の放射線撮影装置とのペアリングを実行する。
【０１７２】
ステップＳ８０４において、コンソール１０３は、設定された下限数以上にアクセスポイント（ＡＰ）数が確保されているか判定する。例えば、放射線撮影システム内に動作しているＡＰユニット１０４が１台のみで、設定された下限数が１台であれば、アクセスポイント（ＡＰ）数は下限数以上であり（Ｓ８０４−Ｙｅｓ）、処理はステップＳ８０５に進められる。そして、ステップＳ８０５において、先のステップＳ８０３でペアリング開始された放射線撮影装置は子機動作をするように設定される。本処理により放射線撮影装置は子機としてコンソール１０３とペアリングされる。ステップＳ８０５の処理の後、通信準備が完了する（Ｓ８０６）。
【０１７３】
一方、ステップＳ８０４において、設定された下限数のアクセスポイント（ＡＰ）数が確保されていない場合（Ｓ８０４−Ｎｏ）、処理はステップＳ８０７に進められる。そして、ステップＳ８０７において、コンソール１０３は、先のステップＳ８０３でペアリング開始された放射線撮影装置をアクセスポイント（ＡＰ）として動作するように設定する。本処理により放射線撮影装置はアクセスポイント（ＡＰ）としてコンソール１０３とペアリングされる。
【０１７４】
ステップＳ８０８において、コンソール１０３は、設定された下限数以上にアクセスポイント（ＡＰ）数が確保されているか判定する。先のステップＳ８０７において、アクセスポイント（ＡＰ）数が増加したことで設定された下限数以上になったか否かを本ステップで判定する。
【０１７５】
アクセスポイント（ＡＰ）数が下限数以上である場合（Ｓ８０８−Ｙｅｓ）、処理はステップＳ８０６に進められ、通信準備が完了する。
【０１７６】
一方、ステップＳ８０８の判定で、アクセスポイント（ＡＰ）数が下限数以上でない場合（Ｓ８０８−Ｎｏ）、処理はステップＳ８０９に進められる。そして、ステップＳ８０９において、コンソール１０３は、表示部等を介してアクセスポイント（ＡＰ）数が不足していることをユーザーである撮影者に通知する。
【０１７７】
そして、ステップＳ８１０において、コンソール１０３は、ｎ台目（ｎ≧２）の放射線撮影装置とのペアリングを開始する。すなわち、コンソール１０３は、新たな放射線撮影装置とのペアリング処理を開始し、処理をステップＳ８０７に戻す。コンソール１０３は、ステップＳ８０７以降の処理を、アクセスポイント（ＡＰ）数が下限数以上となるまで繰り返し実行する。
【０１７８】
尚、図８で説明した通信準備処理では、アクセスポイント（ＡＰ）数が設定された下限数以上にならなければ通信準備完了にならない処理の例を説明した。しかしながら、本実施形態はこの例に限定されず、例えば、１台以上の放射線撮影装置がペアリングされている状態であれば、アクセスポイント（ＡＰ）数が下限数を下まわっていることを通知して（Ｓ８０９）、通信準備を完了し、撮影処理に移行するようにしてもよい。
【０１７９】
（放射線撮影装置をシステムに追加する処理）
続いて、図９を用いて放射線撮影装置を放射線撮影システムに追加する場合のコンソール処理を説明する。前述の実施形態で説明したように、放射線撮影装置は、コンソール１０３からの子機化指示により、アクセスポイント（ＡＰ）としての動作を停止することが可能である。従って、ステップＳ９００で放射線撮影装置の追加処理が開始された時点で、アクセスポイント（ＡＰ）としての動作停止により、アクセスポイント（ＡＰ）数が下限数よりも少なくなっている場合も生じ得る。
【０１８０】
ステップＳ９０１において、コンソール１０３は、Ｎ台目（Ｎ≧１）の放射線撮影装置とのペアリングを開始する。すなわち、コンソール１０３は、新たな放射線撮影装置とのペアリング処理を開始し、処理をステップＳ９０３に進める。
【０１８１】
ステップＳ９０３において、コンソール１０３は、図８のステップＳ８０１で設定された下限数以上にアクセスポイント（ＡＰ）数が確保されているか判定する。設定された下限数のアクセスポイント（ＡＰ）数が確保されていない場合（Ｓ９０３−Ｎｏ）、処理はステップＳ９０４に進められる。コンソール１０３（制御装置）は、放射線撮影システムにおける無線通信の親機の数が設定された下限数より少ない場合、放射線撮影装置を無線通信の親機として動作させる。
【０１８２】
ステップＳ９０４において、コンソール１０３は、先のステップＳ９０１でペアリング開始された放射線撮影装置をアクセスポイント（ＡＰ）として動作するように設定する。本処理により放射線撮影装置はアクセスポイント（ＡＰ）としてコンソール１０３とペアリングされる。
【０１８３】
ステップＳ９０５において、コンソール１０３は、設定された下限数以上にアクセスポイント（ＡＰ）数が確保されているか判定する。先のステップＳ９０４において、アクセスポイント（ＡＰ）数が増加したことで設定された下限数以上になったか否かを本ステップで判定する。アクセスポイント（ＡＰ）数が下限数以上である場合（Ｓ９０５−Ｙｅｓ）、処理はステップＳ９１０に進められ、放射線撮影装置の追加処理は終了する。
【０１８４】
ステップＳ９０５において、コンソール１０３は、設定された下限数以上にアクセスポイント（ＡＰ）数が確保されていないと判定する場合（Ｓ９０５−Ｎｏ）、処理はステップＳ９０６に進められる。
【０１８５】
そして、ステップＳ９０６で、コンソール１０３は、表示部等を介してアクセスポイント（ＡＰ）数が不足していることをユーザーである撮影者に通知し、放射線撮影装置の追加処理は終了する（Ｓ９１０）。尚、ステップＳ９０４以降の処理については、図８のステップＳ８０７〜Ｓ８１０のように、アクセスポイント（ＡＰ）数が下限数以上となるまで繰り返し実行するようにしてもよい。
【０１８６】
一方、ステップＳ９０３の判定で、コンソール１０３は、図８のステップＳ８０１で設定された下限数のアクセスポイント（ＡＰ）数が確保されている場合（Ｓ９０３−Ｙｅｓ）、処理はステップＳ９０７に進められる。
【０１８７】
そして、ステップＳ９０７において、コンソール１０３は、図８のステップＳ８０１で設定された上限数以上にアクセスポイント（ＡＰ）数が確保されているか判定する。
【０１８８】
ステップＳ９０７の判定で、アクセスポイント（ＡＰ）数が設定された上限数以上でない場合（Ｓ９０７−Ｎｏ）、処理はステップＳ９０８に進められる。そして、ステップＳ９０８において、ペアリングを開始した放射線撮像装置の動作モードをユーザーが選択し、コンソール１０３は、ユーザーからの動作モードの選択に基づいて、放射線撮影装置をアクセスポイント（ＡＰ）または子機として動作させるように制御する。上限数を超えていないと判断された際には、制御対象となるペアリングを開始した放射線撮像装置を、アクセスポイント（ＡＰ）または子機で動作させてもよいので、コンソール１０３は、ユーザーからの動作モードの選択に基づいて、制御対象となる放射線撮像装置の動作を制御する。ステップＳ９０８の処理の後、処理はステップＳ９１０に進められ、放射線撮影装置の追加処理は終了する。
【０１８９】
ステップＳ９０７の判定で、アクセスポイント（ＡＰ）数が設定された上限数以上である場合（Ｓ９０７−Ｙｅｓ）、処理はステップＳ９０９に進められる。そして、ステップＳ９０９において、先のステップＳ９０３でペアリング開始された放射線撮影装置は子機動作をするように設定される。すなわち、コンソール１０３（制御装置）は、放射線撮影システムにおける無線通信の親機の数が設定された上限数以上の場合、放射線撮影装置を無線通信の子機として動作させる。本処理により放射線撮影装置は子機としてコンソール１０３とペアリングされる。ステップＳ９０９の処理の後、放射線撮影装置の追加処理は終了する（Ｓ９１０）。尚、ステップＳ９０７およびＳ９０９の処理については、アクセスポイント（ＡＰ）数が上限数より少なくなるまで繰り返し実行するようにしてもよい。
【０１９０】
（ＡＰモードで動作中の放射線撮影装置の停止処理）
次に、ＡＰモードで動作中の放射線撮影装置が何らかの理由によりアクセスポイント（ＡＰ）としての動作を停止する場合のコンソール１０３の処理（ＡＰモードの停止処理）を説明する。
【０１９１】
前述の各実施形態で説明したとおり、無線強度の低下や、一定時間の間、コンソール１０３とアクセスポイント（ＡＰ）として動作している放射線撮影装置１０１との間で無線通信によるやり取りが行われなかった場合などの要因により、ＡＰモードで動作中の放射線撮影装置はＡＰモードの動作を停止することが可能である。
【０１９２】
放射線撮影装置がＡＰモードの動作を停止する際に、コンソール１０３は本処理を実行する（Ｓ１０００）。ステップＳ１００１において、制御対象となるＡＰモードで動作中の放射線撮影装置がＡＰモードの動作を停止しても、コンソール１０３は、設定された下限数以上にアクセスポイント（ＡＰ）数が確保されているか判定する。
【０１９３】
ステップＳ１００１において、設定された下限数のアクセスポイント（ＡＰ）数が確保されていない場合（Ｓ１００１−Ｎｏ）、処理はステップＳ１００２に進められる。
【０１９４】
ステップＳ１００２において、コンソール１０３は、子機モードで動作中でありＡＰモードで動作可能な放射線撮影装置、または、ＡＰユニット（ＡＰ化可能なユニット）が放射線撮影システム内に有るか判定する。放射線撮影装置がＡＰモードの動作を停止することで、放射線撮影システムにおけるＡＰ数が減少することを補うために、放射線撮影システムにおいて他にＡＰ化可能なユニットが存在するかを確認する。尚、一定時間の間、コンソール１０３とアクセスポイント（ＡＰ）として動作している放射線撮影装置との間で通信無しによりＡＰモードの動作が停止となるような場合には、両者の間で通信が行われるなどの条件によってはＡＰモードの動作を再開するような処理を加えることが可能である。この場合、例えば、図９で説明した処理により放射線撮影装置を追加することが可能である。
【０１９５】
説明を図１０に戻し、ステップＳ１００２において、コンソール１０３は、ＡＰ化可能なユニットが放射線撮影システム内に有ると判定した場合（Ｓ１００２−Ｙｅｓ）、処理はステップＳ１００３に進められる。そして、ステップＳ１００３において、コンソール１０３は、子機モードで動作中の放射線撮影装置、若しくはＡＰユニット１０４をアクセスポイント（ＡＰ）として動作開始するよう指示する。そして、ステップＳ１００３の処理の後、処理はステップＳ１００８に進められ、ＡＰモードの停止処理を終了する。
【０１９６】
一方、ステップＳ１００２の判定で、コンソール１０３は、ＡＰ化可能なユニットが放射線撮影システム内に無いと判定した場合（Ｓ１００２−Ｎｏ）、処理はステップＳ１００４に進められる。
【０１９７】
ステップＳ１００４において、コンソール１０３は、表示部等を介してアクセスポイント（ＡＰ）数が不足していることをユーザーである撮影者に通知し、ＡＰモードの停止処理を終了する（Ｓ１００８）。
【０１９８】
一方、ステップＳ１００１において、設定された下限数のアクセスポイント（ＡＰ）数が確保されている場合（Ｓ１００１−Ｙｅｓ）、処理はステップＳ１００５に進められる。
【０１９９】
ステップＳ１００５において、コンソール１０３は、子機接続の有無を判定する。すなあち、コンソール１０３は、ＡＰモードの動作を停止する放射線撮影装置に対して、子機接続している放射線撮影装置の有無を判定する。この判定に必要な子機の接続情報は放射線撮影装置がＡＰモードの動作を停止する旨をコンソール１０３に通知する際に合わせて通知可能である。
【０２００】
ステップＳ１００５の判定において、ＡＰモードの動作を停止する放射線撮影装置に対して子機接続が無い場合（Ｓ１００５−Ｎｏ）、処理はステップＳ１００６に進められる。そして、ステップＳ１００６において、コンソール１０３は、ＡＰモードの動作の停止を許可し、ＡＰモードの停止処理を終了する（Ｓ１００８）。
【０２０１】
一方、ステップＳ１００５の判定において、ＡＰモードの動作を停止する放射線撮影装置に対して子機接続が有る場合（Ｓ１００５−Ｙｅｓ）、処理はステップＳ１００７に進められる。ステップＳ１００７において、コンソール１０３は、ＡＰモードで動作中の他の放射線撮影装置から代替のアクセスポイント（代替ＡＰ）を選定し、ＡＰモードの停止処理を終了する（Ｓ１００８）。尚、コンソール１０３は、ステップＳ１００１の処理おいて、ＡＰモードで動作中の放射線撮影装置がＡＰモードの動作を停止しても、設定された下限数以上にアクセスポイント（ＡＰ）数は確保されていることを判定している。しかしながら、一つのシステムに対して一つのアクセスポイント（ＡＰ）を割り当てる場合、且つ、動作しているアクセスポイント（ＡＰ）が既に割り当て済みである場合等、ＡＰモードで動作中の放射線撮影装置であっても、代替ＡＰの候補とならない放射線撮影装置もあり得る。
【０２０２】
このような場合、コンソール１０３は、例えば、ステップＳ１００３のように、子機モードで動作中の放射線撮影装置、若しくはＡＰユニット１０４をアクセスポイント（ＡＰ）として動作開始したものを代替ＡＰの候補として追加可能である。
【０２０３】
本実施形態によれば、例えば、ＡＰモードで動作している放射線撮影装置およびＡＰユニット１０４が放射線撮影システムに複数存在している場合において、何らかの理由によってデフォルトの接続先として設定されていたアクセスポイント（ＡＰ）への接続ができなくなった場合にも、下限数を設定することで、代替ＡＰを設定するための処理時間が短縮化することが可能になる。
【０２０４】
また、上限数を設定することで、限りある無線チャンネル数をむやみに占有することを防ぎつつ、必要以上の機器がアクセスポイント（ＡＰ）として動作することで消費電力の増加を抑えることが可能になる。
【０２０５】
（第４実施形態）
前述の第１実施形態〜第３実施形態では、放射線撮影システム内に、アクセスポイント（ＡＰ）として動作する放射線撮影装置が複数台存在することを許容する構成を説明した。しかしながら、本発明の実施形態の構成はこの例に限定されず、放射線撮影システム内において、ＡＰモードで動作する放射線撮影装置を１台に限定するような構成も可能である。
【０２０６】
図１１を用いて、ＡＰモードで動作する放射線撮影装置が１台となるように条件づけられた状況下で、コンソール１０３に対して複数台の放射線撮影装置がペアリングされる放射線撮影システムの処理を説明する。
【０２０７】
図１１は図５をベースにしたフローチャートである。通信準備を開始してから１台目の放射線撮影装置(以下、撮影装置１)がペアリングされ通信準備が完了するまでの処理の内容は図３と同様である（ステップＳ１１０１）。各ユニットを起動した後に放射線撮影装置（撮影装置１）がペアリングされた場合、ＡＰユニット１０４が放射線撮影システム内に無ければ、コンソール１０３は、優先的に放射線撮影装置（撮影装置１）がＡＰモードで動作するように指示（ＡＰ化指示）をする。一方、ＡＰユニット１０４が放射線撮影システム内に存在する場合に、コンソール１０３は、ユーザーの選択により放射線撮影装置（撮影装置１）を子機として動作させるのか、アクセスポイント（ＡＰ）として動作させるのかを制御することができる。
【０２０８】
ステップＳ１１０２において、２台目の放射線撮影装置(以下、撮影装置２)のペアリングが開始されると、ステップＳ１１０３において、コンソール１０３は、撮影装置２を子機として使用するか否かを判定する。ステップＳ１１０３の判定処理としては、撮影装置１を子機として使用するか否かを判定した処理（図３のＳ３０９）と同様の処理により実行することが可能である。
【０２０９】
ステップＳ１１０３において、撮影装置２を子機として使用しない、即ち、撮影装置２をアクセスポイント（ＡＰ：親機）として動作させる旨がユーザーである撮影者により選択された場合（Ｓ１１０３−Ｎｏ）、処理はステップＳ１１０４に進められる。
【０２１０】
ステップＳ１１０４において、コンソール１０３は、放射線撮影システムにおいて、ＡＰモードで動作している放射線撮影装置が有るか判定する。先に説明した、ステップＳ１１０１の処理の結果として、ＡＰユニット１０４、または放射線撮影装置（撮影装置１）のいずれか一方がデフォルトの接続先ＡＰとして設定される。このため、放射線撮影装置（撮影装置１）がデフォルトのアクセスポイント（ＡＰ）として設定されている場合、本ステップにおいて、コンソール１０３は、ＡＰモードで動作している放射線撮影装置が有ると判定する。一方、ＡＰユニット１０４がデフォルトのアクセスポイント（ＡＰ）として設定されている場合、本ステップにおいて、コンソール１０３は、ＡＰモードで動作している放射線撮影装置は無いと判定する。
【０２１１】
ＡＰモードで動作している放射線撮影装置が有る場合（Ｓ１１０４−Ｙｅｓ）、処理はステップＳ１１０５に進められる。そして、ステップＳ１１０５に処理が進められると、コンソール１０３は、ＡＰモードで動作している放射線撮影装置（この場合、撮影装置１）へ子機として動作する旨の指示（子機化指示）を通知する。
【０２１２】
ステップＳ１１０６において、コンソール１０３は、子機化を指示した放射線撮影装置（撮影装置１）から送信される子機化完了通知の受信待ちの状態で待機する（Ｓ１１０６−Ｎｏ）。コンソール１０３が子機化完了通知を受信した場合（Ｓ１１０６−Ｙｅｓ）、処理はステップＳ１１０７に進められる。
【０２１３】
一方、ステップＳ１１０４の判定で、ＡＰモードで動作している放射線撮影装置が無い場合（Ｓ１１０４−Ｎｏ）、処理はステップＳ１１０７に進められる。
【０２１４】
ステップＳ１１０７において、コンソール１０３は、撮影装置２がＡＰモードで動作するのに必要な無線識別情報として、ＡＰ動作用ＳＳＩＤを生成する。ここで生成するＳＳＩＤの内容については後述する。
【０２１５】
ステップＳ１１０８において、コンソール１０３は、撮影装置２に対してＡＰモードで動作するように指示（ＡＰ化指示）をする。
【０２１６】
そして、ステップＳ１１０９において、コンソール１０３は、ステップＳ１１０７で生成されたＳＳＩＤを撮影装置２に通知する。ステップＳ１１１０において、コンソール１０３からの指示及びＳＳＩＤの情報を受信した撮影装置２は、受信したＳＳＩＤを用いて、アクセスポイント（ＡＰ）としての動作（ＡＰモードの動作）を開始する。その後、ステップＳ１１１１において、コンソール１０３は、デフォルトのアクセスポイント（デフォルトＡＰ）を撮影装置２に設定する。
【０２１７】
そして、ステップＳ１１１２において、コンソール１０３は、子機の接続先を従来のアクセスポイントから新規に設定されたデフォルトのアクセスポイント（デフォルトＡＰ）へ変更する。ステップＳ１１１２の処理の後、処理はステップＳ１１１６に進められ、通信準備完了となる。
【０２１８】
一方、ステップＳ１１０３において、撮影装置２を子機として使用する旨がユーザーである撮影者により選択された場合（Ｓ１１０３−Ｙｅｓ）、処理はステップＳ１１１３に進められる。
【０２１９】
ステップＳ１１１３において、コンソール１０３は撮影装置２へ子機として動作する旨の指示（子機化指示）を通知し、ステップＳ１１１４において、コンソール１０３は、接続すべきアクセスポイント（ＡＰ）として、デフォルトのアクセスポイント（デフォルトＡＰ）（例えば、ＡＰユニット１０４、または撮影装置１）のＳＳＩＤを撮影装置２に通知する。そして、ステップＳ１１１５において、撮影装置２とデフォルトのアクセスポイント（デフォルトＡＰ）（ＡＰユニット１０４、または撮影装置１）との間で無線接続が確立され、通信準備が完了となる（Ｓ１１１６）。
【０２２０】
尚、図１１のステップＳ１１０５〜Ｓ１１０６の処理において、ＡＰモードで動作している放射線撮影装置がＡＰモードの動作を停止する場合に、コンソール１０３は、放射線撮影装置（撮影装置１）がＡＰモードの動作を停止した旨の通知（子機化完了通知）を受信する。そして、コンソール１０３は子機化完了通知を受信してから他の放射線撮影装置（撮影装置２）へ、ＡＰモードで動作するように指示（ＡＰ化指示）を行う。すなわち、コンソール１０３は、ＡＰモードで動作している放射線撮影装置からの子機化完了通知の受信後に、アクセスポイントとして動作させる他の放射線撮影装置に対してＡＰ化指示を行う。このように、コンソールは、各放射線撮影装置に対する指示を送信するタイミングを制御することにより、同一のＳＳＩＤを有し、かつ、同じタイミングにおいてＡＰモードで動作する放射線撮影装置を複数発生させることなく、ＡＰモードで動作する放射線撮影装置が１台となるよう制限を加えることが可能になる。
【０２２１】
放射線撮影システム内に存在するアクセスポイント（ＡＰ）は１つのみであるため、ステップＳ１１０７において、コンソール１０３は一種類のＳＳＩＤを生成すればよい。ＡＰモードで動作する放射線撮影装置が変更になっても、各放射線撮影装置に設定されるＳＳＩＤは共通であるため、コンソール１０３は、新たな親機のＳＳＩＤを子機に通知する処理が不要になる。
【０２２２】
また、ステップＳ１１１２において、子機は接続先の変更を容易に行うことが可能になる。例えば、第１実施形態で説明したように、アクセスポイントを、ＡＰユニット１０４からＡＰモードで動作中の放射線撮影装置へ切り替える場合、放射線撮影装置のＳＳＩＤに放射線撮影装置を特定することができる文字列を入れておき、そのようなＳＳＩＤが見つかった場合には優先的に放射線撮影装置に接続するように予め各機器を設定しておけばよい。
【０２２３】
また、ステップＳ１１０５からＳ１１１２の処理において、アクセスポイントを放射線撮影装置（撮影装置１）から放射線撮影装置（撮影装置２）に切り替える場合に、放射線撮影装置（撮影装置１）のＡＰモードの動作が停止する（Ｓ１１０６）。そして、同一のＳＳＩＤの放射線撮影装置（撮影装置２）がＡＰモードの動作を開始するため（Ｓ１１１０）、子機は、アクセスポイント（ＡＰ）が、放射線撮影システムから離れ一時的に不在になった後に復帰したものと認識し、子機は新しいアクセスポイント（ＡＰ）として動作している放射線撮影装置（撮影装置２）への接続を開始すればよい（Ｓ１１１２）。
【０２２４】
一方で、同一環境内に複数の放射線撮影システムが存在する可能性が有る場合、具体的には、一つの病院内でコンソールと放射線撮影装置のペアが複数存在する場合には、少なくともコンソールの識別情報（ＩＤ）や放射線撮影装置の識別情報（ＩＤ）を用いることで、コンソール１０３は、院内のシステムごとに固有のＳＳＩＤが生成することが可能である。
【０２２５】
また、アクセスポイント（ＡＰ）として動作中の放射線撮影装置のＳＳＩＤと同一のＳＳＩＤを有し、アクセスポイント（ＡＰ）として動作する機器が同一環境内に存在することが検知された場合、コンソール１０３は、例えば、モニター等の表示部に、ＡＰモードで動作する複数の放射線撮影装置が同一のＳＳＩＤを有する旨の通知を行い、対象となる放射線撮影装置におけるＡＰモードの動作を停止させるような処理を行うことも可能である。
【０２２６】
同一のＳＳＩＤにより動作する複数のアクセスポイント（ＡＰ）の検知は、無線ＬＡＮ機器が元々持っているＭＡＣアドレスなどの固有の情報（第２無線識別情報）を活用することで検知可能である。例えば、放射線撮影システムの環境内に同一のＳＳＩＤを持ち、アクセスポイント（ＡＰ）として動作している複数の装置等（放射線撮影装置と放射線撮影ステム内の何らかの通信機器）が存在し、且つ、コンソール１０３が放射線撮影装置をデフォルトの接続先として設定している場合を考える。コンソール１０３は放射線撮影装置に接続しようとするが、同一のＳＳＩＤを持つ機器が２つ存在するため、接続先はランダムとなってしまう場合が生じ得る。また、何らかのきっかけで接続先が切り替わることも生じ得る。そこで、コンソール１０３は、例えば、第１の無線識別情報としてＳＳＩＤに基づいて接続したアクセスポイント（ＡＰ）のＭＡＣアドレス（第２無線識別情報）を取得して保持する。そして、コンソール１０３は、前回の接続により取得したＭＡＣアドレスと、今回の接続により取得したＭＡＣアドレスとが同じか否かを確認する。放射線撮影システムの環境内に一つしかアクセスポイント（ＡＰ）が存在しなければ、ＭＡＣアドレスに変化は現れないが、同一のＳＳＩＤの複数のアクセスポイント（ＡＰ）が存在し、且つ、複数のアクセスポイント（ＡＰ）のうち異なるアクセスポイントへの接続が切り替わる場合、ＭＡＣアドレス（第２無線識別情報）に変化が現れる。
【０２２７】
また、別の方法としては、コンソール１０３は、接続される可能性のある機器のＭＡＣアドレスの範囲、若しくはＭＡＣアドレスそのものを事前に取得しておき、新しく機器が接続された場合に、コンソール１０３は、ＭＡＣアドレスの範囲の機器であるか、あるいは、事前に取得しているＭＡＣアドレスに該当する機器であるかを確認することも可能である。事前にＭＡＣアドレスを取得する方法としては、ユーザーの入力に基づいてコンソール１０３が設定してもよいし、製造時において、コンソール１０３の記憶部に設定してもよいし、ペアリングの際にコンソール１０３は、ＡＰユニットや放射線撮影装置からＭＡＣアドレスの情報を取得してもよい。また、ここで例示した手法を併用してすることも可能である。
【０２２８】
以上の様な方法で、同一のＳＳＩＤでありながらＭＡＣアドレスが異なる状況を検知した場合、コンソールは、モニター等の表示部にその旨を通知し、対象となるＳＳＩＤを用いた放射線撮影装置をデフォルトの接続先として使用することを停止するような通知を出す。この際の処理は前述の各実施形態における処理を適用して、アクセスポイント（ＡＰ）として動作する放射線撮影装置を切り替えることができる。また、同一ＳＳＩＤの放射線撮影装置に対してＡＰモードの動作を停止するように指示することも可能である。
【０２２９】
本実施形態では、アクセスポイント（ＡＰ）として動作する放射線撮影装置１０１が１台のみとなるような放射線撮影システムの構成となっているが、コンソール起動時等にユーザーが本実施形態に記載のような運用にするか第１実施形態より第３実施形態のような運用にするかを選択することも可能である。
【０２３０】
本実施形態によれば、システム内に同一ＳＳＩＤを持った複数のアクセスポイントが生成されることを防ぐことが可能になる。
【０２３１】
（第５実施形態）
前述の実施形態では放射線撮影装置とコンソールとのペアリングの際に固有のＳＳＩＤを生成する構成について説明したが、放射線撮影装置の製造時・工場出荷時等に固有のＡＰ動作用のＳＳＩＤを割り振り、ペアリング時に条件が合えばＡＰ動作用のＳＳＩＤを用いて、アクセスポイントとしての動作を開始するようにしてもよい。また、ＳＳＩＤの桁数が製造台数に対して少ない場合には、出荷国、地域等、あるいはユーザー等の条件で分別し、それぞれのエリア内でユニークとなるようにＳＳＩＤを割り振ってもよい。
【０２３２】
上述の各実施形態によれば、放射線撮影装置と制御装置との間で安定した通信が可能な放射線撮影技術の提供が可能になる。
【０２３３】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０２３４】
１００：放射線撮影システム、１０１：放射線撮影装置、１０２：ネットワーク、１０３：コンソール、１０４：ＡＰユニット
【図１Ａ】
0006585957.tif 000002
【図１Ｂ】
0006585957.tif 000003
【図２】
0006585957.tif 000004
【図３】
0006585957.tif 000005
【図４】
0006585957.tif 000006
【図５】
0006585957.tif 000007
【図６】
0006585957.tif 000008
【図７】
0006585957.tif 000009
【図８】
0006585957.tif 000010
【図９】
0006585957.tif 000011
【図１０】
0006585957.tif 000012
【図１１】
0006585957.tif 000013